(57)【要約】【課題】証明写真の用途ごとの規格を満たす証明写真データを取得しうる、サーバ装置、画像データ取得装置、証明写真システム、証明写真データ取得方法、及び証明写真データ取得プログラムを提供する。【解決手段】サーバ装置（１４）は画像データ取得装置（１２）から人物の画像データ、及び人物の画像データに対応する画像における頭部の位置を表す位置情報を取得する。サーバ装置は画像データと位置情報とを関連付けして記憶し、証明写真の規格を表し、端末装置（１６）から送信される規格情報を取得する。サーバ装置は画像データ、及び位置情報を用いて、規格情報の規格を満たす証明写真データを作成する。【選択図】図１
2018074392.tif 000002
【特許請求の範囲】
【請求項１】
通信回線を介して画像データ取得装置、及び端末装置と接続可能に構成されたサーバ装置であって、
前記画像データ取得装置から送信された人物の画像データ、及び前記人物の画像データに対応する画像における頭部の位置を表す位置情報を含む画像情報を取得する画像情報取得手段と、
前記画像情報取得手段を用いて取得された前記画像データと前記位置情報とを関連付けして記憶する画像情報記憶手段と、
証明写真の規格を表す規格情報であり、通信回線を介して送信される規格情報を取得する規格情報取得手段と、
前記画像データ、及び前記位置情報を用いて、前記規格情報取得手段を用いて取得された規格情報の規格を満たす証明写真データを作成する証明写真データ作成手段と、
を備えたサーバ装置。
【請求項２】
前記画像情報取得手段は、前記位置情報として、前記人物の画像における頭頂の位置、目の位置、あごの位置、及び頭頂とあごとを結ぶ線が向く縦方向と直交する横方向における中央位置を取得する請求項１に記載のサーバ装置。
【請求項３】
前記証明写真データ作成手段は、前記画像データにおける前記縦方向の画素数、及び前記画像データにおける前記横方向の画素数を６００画素以上１２００画素以下に調整する処理を実行する請求項２に記載のサーバ装置。
【請求項４】
前記証明写真データ作成手段は、前記人物の画像における頭頂の位置からあごの位置までの長さを、証明写真全体の前記縦方向の長さの５０パーセント以上６９パーセント以下の長さに調整する処理を実行する請求項２又は３に記載のサーバ装置。
【請求項５】
前記証明写真データ作成手段は、証明写真の底辺から前記人物の画像における目の位置までの長さを、証明写真全体の前記縦方向の長さの５６パーセント以上６９パーセント以下の長さに調整する処理を実行する請求項２から４のいずれか一項に記載のサーバ装置。
【請求項６】
前記画像情報取得手段を用いて取得した前記画像情報の保管期間を設定する保管期間設定手段を備えた請求項１から５のいずれか一項に記載のサーバ装置。
【請求項７】
前記端末装置からの要求に応じて、前記証明写真データ作成手段を用いて作成された前記証明写真データを前記端末装置へ送信する送信手段を備えた請求項１から６のいずれか一項に記載のサーバ装置。
【請求項８】
前記画像データ取得装置からの要求に応じて、前記証明写真データ作成手段を用いて作成された前記証明写真データを前記画像データ取得装置へ送信する送信手段を備えた請求項１から６のいずれか一項に記載のサーバ装置。
【請求項９】
通信回線を介して、サーバ装置と通信を実行する通信手段と、
人物の画像データを取得する画像データ取得手段と、
前記人物の画像データに対応する画像における頭部の位置を表す位置情報を取得する位置情報取得手段と、
前記通信手段、及び前記通信回線を介して、画像データ取得手段を用いて取得された前記人物の画像データ、及び前記位置情報取得手段を用いて取得された前記位置情報を含む画像情報を前記サーバ装置へ送信する画像情報送信手段と、
を備えた画像データ取得装置。
【請求項１０】
前記位置情報取得手段は、前記位置情報として、前記人物の画像における頭頂の位置、目の位置、あごの位置、及び頭頂とあごとを結ぶ線が向く縦方向と直交する横方向における中央位置を取得する請求項９に記載の画像データ取得装置。
【請求項１１】
前記位置情報取得手段は、前記人物の画像における頭頂の位置、目の位置、あごの位置、及び頭頂とあごとを結ぶ線が向く縦方向と直交する横方向における中央位置を、前記人物の画像に設定する設定手段を備えた請求項１０に記載の画像データ取得装置。
【請求項１２】
前記サーバ装置に送信された前記画像データ、及び前記位置情報の前記サーバ装置における記憶位置の情報を取得する記憶位置情報取得手段を備えた請求項９から１１のいずれか一項に記載の画像データ取得装置。
【請求項１３】
前記サーバ装置に送信された前記画像データ、及び前記位置情報の前記サーバ装置における記憶位置にアクセスする際に前記サーバ装置へ送信される識別情報、及びパスワードを出力する情報出力手段を備えた請求項１２に記載の画像データ取得装置。
【請求項１４】
前記情報出力手段は、前記記憶位置情報取得手段を用いて取得された前記画像データ、及び前記位置情報の前記サーバ装置における記憶位置の情報を出力する請求項１３に記載の画像データ取得装置。
【請求項１５】
前記画像データ取得手段は、前記人物の画像を撮影する撮影手段を備えた請求項９から１４のいずれか一項に記載の画像データ取得装置。
【請求項１６】
サーバ装置と、
前記サーバ装置と通信回線を介して接続可能に構成された画像データ取得装置と、
を備え、
前記サーバ装置は、前記画像データ取得装置から送信された人物の画像データ、及び前記人物の画像データに対応する画像における頭部の位置を表す位置情報を含む画像情報を取得する画像情報取得手段と、
前記画像情報取得手段を用いて取得された前記画像データと前記位置情報とを関連付けして記憶する画像情報記憶手段と、
証明写真の規格を表す規格情報であり、通信回線を介して送信される規格情報を取得する規格情報取得手段と、
前記画像データ、及び前記位置情報を用いて、前記規格情報取得手段を用いて取得された規格情報の規格を満たす証明写真データを作成する証明写真データ作成手段と、
を備えた証明写真システム。
【請求項１７】
前記サーバ装置は、請求項２から８のいずれか一項に記載のサーバ装置を含む請求項１６に記載の証明写真システム。
【請求項１８】
前記画像データ取得装置は、請求項１０から１５のいずれか一項に記載の画像データ取得装置を含む請求項１６又は１７に記載の証明写真システム。
【請求項１９】
画像データ取得装置から送信された人物の画像データ、及び前記人物の画像データに対応する画像における頭部の位置を表す位置情報を含む画像情報を取得する画像情報取得工程と、
前記画像情報取得工程において取得された前記画像データと前記位置情報とを関連付けして記憶する画像情報記憶工程と、
証明写真の規格を表す規格情報であり、通信回線を介して送信される規格情報を取得する規格情報取得工程と、
前記画像データ、及び前記位置情報を用いて、前記規格情報取得工程において取得された規格情報の規格を満たす証明写真データを作成する証明写真データ作成工程と、
を含む証明写真データ取得方法。
【請求項２０】
コンピュータを、
画像データ取得装置から送信された人物の画像データ、及び前記人物の画像データに対応する画像における頭部の位置を表す位置情報を含む画像情報を取得する画像情報取得手段、
前記画像情報取得手段を用いて取得された前記画像データと前記位置情報とを関連付けして記憶する画像情報記憶手段、
証明写真の規格を表す規格情報であり、通信回線を介して送信される規格情報を取得する規格情報取得手段、及び
前記画像データ、及び前記位置情報を用いて、前記規格情報取得手段を用いて取得された規格情報の規格を満たす証明写真データを作成する証明写真データ作成手段として機能させる証明写真データ取得プログラム。
【発明の詳細な説明】
【技術分野】
【０００１】
本発明はサーバ装置、画像データ取得装置、証明写真システム、証明写真データ取得方法、及び証明写真データ取得プログラムに関する。
【背景技術】
【０００２】
一般に、証明写真は、写真店において撮影されるか、又は証明写真装置を用いて撮影され、印刷物としてユーザに提供されている。ユーザは、撮影の前に用途に応じて証明写真のサイズを選択すると、所望のサイズの証明写真の提供を受けることが可能である。
【０００３】
撮影画像に対して、拡大、及び縮小等の画像処理を施して、サイズ等の規格が異なる複数の種類の証明写真を作成することが可能である。
【０００４】
特許文献１は、写真シール払出装置、インターネットサーバ、及び携帯端末を含む撮影画像提供システムが記載されている。特許文献１に記載の撮影画像提供システムは、写真シール払出装置、インターネットサーバ、及び携帯端末がインターネットを介して接続可能に構成されている。
【０００５】
特許文献１に記載の写真シール払出装置は、人物の撮影を実行して、人物の静止画像の撮影画像データを取得する。写真シール払出装置は、取得した撮影画像データから、静止画像のパーツ編集に必要なパーツ情報を抽出する。写真シール装置は、インターネットを介して、撮影画像データ、及び撮影画像データから抽出されたパーツ情報をインターネットサーバへ送信する。
【０００６】
インターネットサーバは、写真シール装置から送信された撮影画像データ、及び撮影画像データを受信する。インターネットサーバは、受信した撮影画像データ、及び撮影画像データをデータベースへ保存する。
【０００７】
インターネットサーバは、インターネットサーバへアクセス可能な携帯端末の操作により指定したパーツ編集を行って、編集画像を作成する。インターネットサーバへアクセス可能な携帯端末は、インターネットサーバによって作成された編集画像のダウンロードが可能である。
【先行技術文献】
【特許文献】
【０００８】
【特許文献１】特開２０１６−２５６０３号公報
【発明の概要】
【発明が解決しようとする課題】
【０００９】
近年、履歴書、又は査証などの証明写真が使用される書類は電子化される傾向がある。証明写真が使用される書類が電子化されることによって、電子データとして証明写真の提供を受けるニーズが存在する。
【００１０】
また、証明写真は、使用される書類に応じてサイズ等の規格が決められている。特に、アメリカ合衆国に対して非移民ビザを申請する場合に使用される証明写真は、サイズの他に、縦の画素数の範囲、横の画素数の範囲、写真全体の長さに対する頭髪からあごまでを測った頭部の長さの比率の範囲、及び写真全体の長さに対する写真の底部から目のレベルまでを測った目の高さの比率の範囲が規定されている。
【００１１】
そうすると、一つの撮影画像から、証明写真の用途ごとの規格を満たす証明写真の画像データを作成することは困難である。
【００１２】
特許文献１に記載の撮影画像提供システムは、パーツ情報を用いて撮影画像を構成するパーツを交換する等の画像処理が可能であるものの、証明写真の用途ごとの規格を満たす証明写真の画像データを作成する画像処理を行うことは困難である。
【００１３】
本発明はこのような事情に鑑みてなされたもので、証明写真の用途ごとの規格を満たす証明写真データを取得しうる、サーバ装置、画像データ取得装置、証明写真システム、証明写真データ取得方法、及び証明写真データ取得プログラムを提供することを目的とする。
【課題を解決するための手段】
【００１４】
上記目的を達成するために、次の発明態様を提供する。
【００１５】
第１態様のサーバ装置は、通信回線を介して画像データ取得装置、及び端末装置と接続可能に構成されたサーバ装置であって、画像データ取得装置から送信された人物の画像データ、及び人物の画像データに対応する画像における頭部の位置を表す位置情報を含む画像情報を取得する画像情報取得手段と、画像情報取得手段を用いて取得された画像データと位置情報とを関連付けして記憶する画像情報記憶手段と、証明写真の規格を表す規格情報であり、通信回線を介して送信される規格情報を取得する規格情報取得手段と、画像データ、及び位置情報を用いて、規格情報取得手段を用いて取得された規格情報の規格を満たす証明写真データを作成する証明写真データ作成手段と、を備えたサーバ装置である。
【００１６】
第１態様によれば、通信回線を介して取得した規格情報が表す規格を満たす証明写真の画像データの作成が可能である。
【００１７】
画像データ取得装置の一例として、自動証明写真撮影装置が挙げられる。第１態様に記載の画像データ取得装置の他の例として、写真店に備えられるコンピュータが挙げられる。
【００１８】
証明写真の規格の例として、証明写真の用途ごとに決められた証明写真のサイズが挙げられる。
【００１９】
サーバ装置は、コンピュータ、記憶装置、及び演算装置を含んで構成されてもよい。
【００２０】
画像データは、撮影画像を表すデータである。証明写真データは証明写真の規格を満たす証明写真を表す画像データである。
【００２１】
第２態様は、第１態様のサーバ装置において、画像情報取得手段は、位置情報として、人物の画像における頭頂の位置、目の位置、あごの位置、及び頭頂とあごとを結ぶ線が向く縦方向と直交する横方向における中央位置を取得する構成としてもよい。
【００２２】
第２態様によれば、人物の画像における頭頂の位置、目の位置、あごの位置、及び頭頂とあごとを結ぶ線が向く縦方向と直交する横方向における中央位置が調整された証明写真データの作成が可能である。
【００２３】
第３態様は、第２態様のサーバ装置において、証明写真データ作成手段は、画像データにおける縦方向の画素数、及び画像データにおける横方向の画素数を６００画素以上１２００画素以下に調整する処理を実行する構成としてもよい。
【００２４】
第３態様によれば、縦方向の画素数、及び横方向の画素数が調整された証明写真データの作成が可能である。
【００２５】
第４態様は、第２態様又は第３態様のサーバ装置において、証明写真データ作成手段は、人物の画像における頭頂の位置からあごの位置までの長さを、証明写真全体の縦方向の長さの５０パーセント以上６９パーセント以下の長さに調整する処理を実行する構成としてもよい。
【００２６】
第４態様によれば、証明写真全体の縦方向の長さに対する、人物の画像における頭頂の位置からあごの位置までの長さが調整された証明写真データの作成が可能である。
【００２７】
第５態様は、第２態様から第４態様のいずれか一態様のサーバ装置において、証明写真データ作成手段は、証明写真の底辺から人物の画像における目の位置までの長さを、証明写真全体の縦方向の長さの５６パーセント以上６９パーセント以下の長さに調整する処理を実行する構成としてもよい。
【００２８】
第５態様によれば、証明写真全体の縦方向の長さに対する、証明写真の底辺から人物の画像における目の位置までの長さが調整された証明写真データの作成が可能である。
【００２９】
第３態様から第５態様のサーバ装置を組み合わせると、アメリカビザ申請用証明写真データの作成が可能である。
【００３０】
第６態様は、第１態様から第５態様のいずれか一態様のサーバ装置において、画像情報取得手段を用いて取得した画像情報の保管期間を設定する保管期間設定手段を備えた構成としてもよい。
【００３１】
第６態様によれば、サーバ装置に記憶された画像データ、及び位置情報の保管期限の管理が可能である。
【００３２】
第７態様は、第１態様から第６態様のいずれか一態様のサーバ装置において、端末装置からの要求に応じて、証明写真データ作成手段を用いて作成された証明写真データを端末装置へ送信する送信手段を備えた構成としてもよい。
【００３３】
第７態様によれば、端末装置を用いて証明写真データの取得が可能である。
【００３４】
第８態様は、第１態様から第６態様のいずれか一態様のサーバ装置において、画像データ取得装置からの要求に応じて、証明写真データ作成手段を用いて作成された証明写真データを画像データ取得装置へ送信する送信手段を備えた構成としてもよい。
【００３５】
第８態様によれば、画像データ取得装置を用いて証明写真データの取得が可能である。
【００３６】
第９態様の画像データ取得装置は、通信回線を介して、サーバ装置と通信を実行する通信手段と、人物の画像データを取得する画像データ取得手段と、人物の画像データに対応する画像における頭部の位置を表す位置情報を取得する位置情報取得手段と、通信手段、及び通信回線を介して、画像データ取得手段を用いて取得された人物の画像データ、及び位置情報取得手段を用いて取得された位置情報を含む画像情報をサーバ装置へ送信する画像情報送信手段と、を備えた画像データ取得装置である。
【００３７】
第９態様によれば、人物の画像データ、及び画像データに対応する位置情報をサーバ装置へ送信することが可能である。
【００３８】
第１０態様は、第９態様の画像データ取得装置において、位置情報取得手段は、位置情報として、人物の画像における頭頂の位置、目の位置、あごの位置、及び頭頂とあごとを結ぶ線が向く縦方向と直交する横方向における中央位置を取得する構成としてもよい。
【００３９】
第１０態様によれば、人物の画像における頭頂の位置、目の位置、あごの位置、及び頭頂とあごとを結ぶ線が向く縦方向と直交する横方向における中央位置を、位置情報としてサーバ装置へ送信することが可能である。
【００４０】
第１１態様は、第１０態様の画像データ取得装置において、位置情報取得手段は、人物の画像における頭頂の位置、目の位置、あごの位置、及び頭頂とあごとを結ぶ線が向く縦方向と直交する横方向における中央位置を、人物の画像に設定する設定手段を備えた構成としてもよい。
【００４１】
第１１態様によれば、画像データ取得装置を用いて、人物の画像における頭頂の位置、目の位置、あごの位置、及び頭頂とあごとを結ぶ線が向く縦方向と直交する横方向における中央位置を、人物の画像に設定することが可能である。
【００４２】
第１２態様は、第９態様から第１１態様のいずれか一態様の画像データ取得装置において、サーバ装置に送信された画像データ、及び位置情報のサーバ装置における記憶位置の情報を取得する記憶位置情報取得手段を備えた構成としてもよい。
【００４３】
第１２態様によれば、画像データ取得装置は、サーバ装置における画像データ、及び位置情報が記憶された場所へのアクセス情報の作成が可能である。
【００４４】
第１３態様は、第１２態様の画像データ取得装置において、サーバ装置に送信された画像データ、及び位置情報のサーバ装置における記憶位置にアクセスする際にサーバ装置へ送信される識別情報、及びパスワードを出力する情報出力手段を備えた構成としてもよい。
【００４５】
第１３態様によれば、識別情報、及びパスワードを用いて、サーバ装置へのアクセスが可能である。
【００４６】
情報出力手段の一例としてプリンタが挙げられる。情報出力手段としてプリンタが適用される態様では、識別情報、及びパスワードを印刷物として出力することが可能である。
【００４７】
第１４態様は、第１３態様の画像データ取得装置において、情報出力手段は、記憶位置情報取得手段を用いて取得された画像データ、及び位置情報のサーバ装置における記憶位置の情報を出力する構成としてもよい。
【００４８】
第１４態様によれば、画像データ、及び位置情報のサーバ装置における記憶位置の情報を用いて、サーバ装置における記憶位置へのアクセスが可能である。
【００４９】
情報出力手段の一例としてプリンタが挙げられる。情報出力手段としてプリンタが適用される態様では、サーバ装置における記憶位置を印刷物として出力することが可能である。
【００５０】
第１５態様は、第９態様から第１４態様のいずれか一態様の画像データ取得装置において、画像データ取得手段は、人物の画像を撮影する撮影手段を備えた構成としてもよい。
【００５１】
第１５態様によれば、撮影手段を用いて人物の画像データの取得が可能である。
【００５２】
第１６態様の証明写真システムは、サーバ装置と、サーバ装置と通信回線を介して接続可能に構成された画像データ取得装置と、を備え、サーバ装置は、画像データ取得装置から送信された人物の画像データ、及び人物の画像データに対応する画像における頭部の位置を表す位置情報を含む画像情報を取得する画像情報取得手段と、画像情報取得手段を用いて取得された画像データと位置情報とを関連付けして記憶する画像情報記憶手段と、証明写真の規格を表す規格情報であり、通信回線を介して送信される規格情報を取得する規格情報取得手段と、画像データ、及び位置情報を用いて、規格情報取得手段を用いて取得された規格情報の規格を満たす証明写真データを作成する証明写真データ作成手段と、を備えた証明写真システムである。
【００５３】
第１６態様によれば、第１態様と同様の効果を得ることが可能である。
【００５４】
第１７態様は、第１６態様の証明写真システムにおいて、サーバ装置は、第２態様から第８態様のいずれか一態様に記載のサーバ装置を含む構成としてもよい。
【００５５】
第１７態様によれば、第２態様から第８態様のいずれか一態様と同様の効果を得ることが可能である。
【００５６】
第１８態様は、第１６態様又は第１７態様の証明写真システムにおいて、画像データ取得装置は、第１０態様から第１５態様のいずれか一態様に記載の画像データ取得装置を含む構成としてもよい。
【００５７】
第１８態様によれば、第１０態様から第１５態様のいずれかと同様の効果を得ることが可能である。
【００５８】
第１９態様の証明写真データ取得方法は、画像データ取得装置から送信された人物の画像データ、及び人物の画像データに対応する画像における頭部の位置を表す位置情報を含む画像情報を取得する画像情報取得工程と、画像情報取得工程において取得された画像データと位置情報とを関連付けして記憶する画像情報記憶工程と、証明写真の規格を表す規格情報であり、通信回線を介して送信される規格情報を取得する規格情報取得工程と、画像データ、及び位置情報を用いて、規格情報取得工程において取得された規格情報の規格を満たす証明写真データを作成する証明写真データ作成工程と、を含む証明写真データ取得方法である。
【００５９】
第１９態様によれば、第１態様と同様の効果を得ることが可能である。
【００６０】
第１９態様において、第２態様から第８態様で特定した事項と同様の事項を適宜組み合わせることができる。その場合、サーバ装置において特定される処理や機能を担う構成要素は、これに対応する処理や機能を担う証明写真データ取得方法の構成要素として把握することができる。
【００６１】
第１９態様において、第１０態様から第１５態様で特定した事項と同様の事項を適宜組み合わせることができる。その場合、画像データ取得装置において特定される処理や機能を担う構成要素は、これに対応する処理や機能を担う証明写真データ取得方法の構成要素として把握することができる。
【００６２】
第２０態様の証明写真取得プログラムは、コンピュータを、画像データ取得装置から送信された人物の画像データ、及び人物の画像データに対応する画像における頭部の位置を表す位置情報を含む画像情報を取得する画像情報取得手段、画像情報取得手段を用いて取得された画像データと位置情報とを関連付けして記憶する画像情報記憶手段、証明写真の規格を表す規格情報であり、通信回線を介して送信される規格情報を取得する規格情報取得手段、及び画像データ、及び位置情報を用いて、規格情報取得手段を用いて取得された規格情報の規格を満たす証明写真データを作成する証明写真データ作成手段として機能させる証明写真データ取得プログラムである。
【００６３】
第２０態様によれば、第１態様と同様の効果を得ることが可能である。
【００６４】
第２０態様において、第２態様から第８態様で特定した事項と同様の事項を適宜組み合わせることができる。その場合、サーバ装置において特定される処理や機能を担う構成要素は、これに対応する処理や機能を担う証明写真データ取得プログラムの構成要素として把握することができる。
【００６５】
第２０態様において、第１０態様から第１５態様で特定した事項と同様の事項を適宜組み合わせることができる。その場合、画像データ取得装置において特定される処理や機能を担う構成要素は、これに対応する処理や機能を担う証明写真データ取得プログラムの構成要素として把握することができる。
【発明の効果】
【００６６】
本発明によれば、通信回線を介して取得した規格情報が表す規格を満たす証明写真の画像データの作成が可能である。
【図面の簡単な説明】
【００６７】
【図１】図１は証明写真システムの概略構成を示す模式図である。
【図２】図２は自動証明写真撮影装置を用いて撮影された撮影画像の説明図である。
【図３】図３は写真データ受付証の一例を示す図である。
【図４】図４は端末装置の表示部に表示される選択画面の一例を示す図である。
【図５】図５はアメリカビザ申請用証明写真の説明図である。
【図６】図６は証明写真システムの全体構成を示すブロック図である。
【図７】図７は図６に示したサーバ装置のブロック図である。
【図８】図８は図７に示したサーバ装置におけるログイン処理の手順を示すフローチャートである。
【図９】図９は図７に示したサーバ装置における証明写真データ出力方法の手順を示すフローチャートである。
【図１０】図１０は図９に示した証明写真データ出力方法における証明写真データ作成工程の手順を示すフローチャートである。
【図１１】図１１は図７に示したサーバ装置における画像データの保管方法の手順を示すフローチャートである。
【図１２】図１２は図６に示した自動証明写真撮影装置のブロック図である。
【図１３】図１３は図１２に示した自動証明写真撮影装置における証明写真撮影方法の手順を示すフローチャートである。
【図１４】図１４は頭部位置設定画面の一例を示す図である。
【図１５】図１５は頭部の位置の説明図である。
【図１６】図１６は証明写真作成プログラムを用いた証明写真データ作成方法の手順を示すフローチャートである。
【図１７】図１７は頭部位置設定画面の他の例を示す図である。
【図１８】図１８は端末装置の構成を示すブロック図である。
【図１９】図１９は図６に示した携帯端末における証明写真データ取得方法の手順を示すフローチャートである。
【図２０】図２０は携帯端末の表示部に表示される調整画面の一例を示す図である。
【図２１】図２１は図６に示した証明写真システムにおける自動証明写真装置とサーバ装置とのデータ通信の手順を示すフローチャートである。
【図２２】図２２は図６に示した証明写真システムにおけるサーバ装置と携帯端末とのデータ通信の手順を示すフローチャートである。
【発明を実施するための形態】
【００６８】
以下、添付図面に従って本発明の好ましい実施の形態について詳説する。本明細書では、同一の構成要素には同一の参照符号を付して、重複する説明を省略する。
［証明写真システムの説明］
＜概略構成＞
図１は証明写真システムの概略構成を示す模式図である。図１に示した証明写真システム１０は、自動証明写真撮影装置１２において撮影された撮影画像が、サーバ装置１４において証明写真の申請用途別に自動的に加工され、サーバ装置１４から端末装置１６にダウンロード可能な証明写真システムである。
【００６９】
自動証明写真撮影装置１２において撮影された撮影画像に代わり、写真店１８においてコンピュータにインストールされた証明写真作成プログラム２０を用いて作成された証明写真の画像データを適用してもよい。
【００７０】
証明写真システム１０は、自動証明写真撮影装置１２、サーバ装置１４、及び端末装置１６を備えている。自動証明写真撮影装置１２、及び端末装置１６は通信回線を介してサーバ装置１４と接続されている。
【００７１】
証明写真システム１０は、複数の自動証明写真撮影装置１２を備えていてもよい。証明写真システム１０は、複数の端末装置１６を備えていてもよい。証明写真システム１０は、自動証明写真撮影装置１２、及び写真店１８の両方を備えていてもよい。
【００７２】
自動証明写真撮影装置１２は、撮影対象の人物を撮影し、撮影対象の人物の撮影画像を表す画像データを作成する。自動証明写真撮影装置１２は、撮影画像の画像データ、及び撮影画像における頭部の位置の情報を含む画像情報２５をサーバ装置１４へ送信する。頭部の位置の情報の詳細は後述する。
【００７３】
自動証明写真撮影装置１２は、写真データ受付証２２を印刷する。写真データ受付証２２は、端末装置１６を用いて証明写真の画像データである証明写真データ２６をダウンロードする際にアクセスする画像受取サイト２４のＵＲＬ、画像データの識別番号として機能する受付番号、及び画像受取サイト２４にアクセスする際に使用されるパスワードが印刷されている。なお、ＵＲＬは、uniform resource locatorの省略語である。
【００７４】
サーバ装置１４は、自動証明写真撮影装置１２から送信された画像情報２５を取得する。サーバ装置１４は、自動証明写真撮影装置１２から送信された画像情報に代わり、写真店１８において証明写真作成プログラム２０を用いて作成された画像情報を取得してもよい。
【００７５】
サーバ装置１４は、画像データと撮影画像における頭部の位置の情報とを関連付けして記憶する。サーバ装置１４は、予め決められた保管期限まで、撮影画像の画像データ、及び撮影画像における頭部の位置の情報を保管する。予め決められた保管期限の一例として、六カ月間が挙げられる。
【００７６】
ユーザは、端末装置１６を用いて、サーバ装置１４内の画像受取サイト２４にアクセスすることが可能である。ユーザは、端末装置１６を用いて、受付番号、及びパスワードを入力して、画像受取サイト２４にログインすることが可能である。
【００７７】
ユーザは、端末装置１６を用いて、証明写真の種類の選択情報をサーバ装置１４へ送信することが可能である。証明写真の種類の選択情報は、端末装置１６の表示部２８に表示された選択画面を用いて選択することが可能である。端末装置１６の表示部２８に表示された選択画面の詳細は後述する。
【００７８】
サーバ装置１４は、端末装置１６から送信された証明写真の種類の選択情報の受信に起因して、ユーザの撮影画像の画像データ、及び撮影画像の頭部の位置の情報を読み出す。サーバ装置１４は、読み出した撮影画像の画像データ、及び撮影画像の頭部の位置の情報を用いて、端末装置１６から送信された証明写真の種類の情報に対応する証明写真の規格を満たす証明写真データを作成する。
【００７９】
サーバ装置１４は、端末装置１６から送信されるダウンロードの要求に起因して、端末装置１６へ証明写真データ２６を送信する。ユーザは、端末装置１６を用いて、所望の規格を満たす証明写真データ２６を取得することが可能である。ユーザは、写真店１８のプリンタを用いて、証明写真データ２６が印刷された証明写真を取得してもよい。
【００８０】
＜撮影画像＞
図２は自動証明写真撮影装置を用いて撮影された撮影画像の説明図である。図２に示した撮影画像４０は、図１に示した自動証明写真撮影装置１２を用いて人物を撮影して取得される。
【００８１】
撮影画像４０は、図１に示した自動証明写真撮影装置１２に具備されるタッチパネルに表示される。撮影画像４０のサイズは、自動証明写真撮影装置１２のタッチパネルを用いて、ユーザが設定してもよい。タッチパネルは、図１２に符号３０４を付して図示する。
【００８２】
＜写真データ受付証＞
図３は写真データ受付証の一例を示す図である。図３に示した写真データ受付証２２は、ＵＲＬ表示部１００、受付番号表示部１０２、パスワード表示部１０４、画像表示部１０６、受付日表示部１０８、有効期限表示部１１０、及びタイトル表示部１１２を備えている。
【００８３】
ＵＲＬ表示部１００は、図１に示した画像受取サイト２４のＵＲＬが表示される。図３に示したＵＲＬ表示部１００は、図１に示した画像受取サイト２４のＵＲＬを表す二次元コード、及び画像受取サイト２４のＵＲＬを表す文字列が表示されている。
【００８４】
図３に示したＵＲＬ表示部１００は、図１に示した画像受取サイト２４のＵＲＬを表す二次元コード、及び画像受取サイト２４のＵＲＬを表す文字列の少なくともいずれか一方が表示されればよい。
【００８５】
図３に示した受付番号表示部１０２は、画像データの識別番号であり、ユーザＩＤとして機能する受付番号が表示される。パスワード表示部１０４は、ログインの際に要求されるパスワードが表示される。なお、ＩＤはidentificationの省略語である。
【００８６】
画像表示部１０６は、図１に示したサーバ装置１４にアップロードされた画像データを表す画像が表示される。図３に示した受付日表示部１０８は、図１に示したサーバ装置１４に画像データがアップロードされた年月日が表示される。
【００８７】
図３に示した有効期限表示部１１０は、図１に示したサーバ装置１４にアップロードされた画像データの、サーバ装置１４に保管される期限日が表示される。タイトル表示部１１２は、写真データ受付証２２のタイトルが表示される。
【００８８】
図３に示した写真データ受付証２２は、図１に示した自動証明写真撮影装置１２のプリンタを用いて印刷された印刷物として出力されてもよいし、端末装置１６の表示部２８に表示可能な電子データとして出力されてもよい。なお、自動証明写真撮影装置１２のプリンタは図１２に符号３２０を付して図示する。
【００８９】
＜選択画面＞
図４は端末装置の表示部に表示される選択画面の一例を示す図である。図４に示した選択画面１２０は複数の選択ボタンが表示される選択ボタン表示部１２２を備えている。図４に示した複数の選択ボタンは、タッチパネル方式の表示部２８に表示されたソフトウエアボタンである。
【００９０】
図４には、選択ボタンの例として、履歴書用選択ボタン１２４、マイナンバー申請用選択ボタン１２６、アメリカビザ申請用選択ボタン１２８、及びカスタムサイズ選択ボタン１３０が図示されている。
【００９１】
図４に示した選択画面１２０は、利用方法表示ボタン１３２、ログアウトボタン１３４、メニュー移動ボタン１３６が表示されている。選択画面１２０は、ステータスバー１３８が表示されている。
【００９２】
選択画面１２０は、一つ以上の選択ボタンが表示されていればよい。選択画面１２０は、利用方法表示ボタン１３２、ログアウトボタン１３４、メニュー移動ボタン１３６、及びステータスバー１３８が省略されてもよい。
【００９３】
ユーザは、選択画面１２０に表示される複数の選択ボタンのいずれかを用いて、証明写真の規格についての選択情報を、図１に示した端末装置１６からサーバ装置１４へ送信することが可能である。例えば、図４に示した履歴書用選択ボタン１２４を操作すると、履歴書用の証明写真の規格を選択したことを表す選択情報が、図１に示した端末装置１６からサーバ装置１４へ送信される。
【００９４】
図４に示した複数の選択ボタンに代わり一つの選択ボタンを備え、選択ボタンが操作されると、複数の選択ボタンが含まれるプルダウンメニューを表示させてもよい。なお、カスタムサイズとは、サーバ装置１４に準備されていない規格の証明写真データを作成する際に選択される。
【００９５】
＜証明写真の規格＞
証明写真の規格の一例として、アメリカ合衆国に対して非移民ビザを申請する場合に使用される証明写真の規格について説明する。以下、アメリカ合衆国に対して非移民ビザを申請する場合に使用される証明写真は、アメリカビザ申請用証明写真と記載する。
【００９６】
図５はアメリカビザ申請用証明写真の説明図である。証明写真の規格を構成する要素として、サイズが挙げられる。サイズは、証明写真の縦の長さ、及び横の長さが用いられる。例えば、アメリカビザ申請用証明写真のサイズは、縦の画素数が６００画素以上１２００画素以下、横の画素数が６００画素以上１２００画素以下と決められている。縦は人物の頭頂部からあごへ向かう方向、又は人物のあごから頭頂部へ向かう方向である。横は縦と直交する方向である。なお、画素はピクセルと呼ばれることがある。
【００９７】
アメリカビザ申請用証明写真は、頭髪の頂点である頭頂からあごまでを測った頭部の長さは、写真全体の縦の長さの５０パーセント以上６９パーセント以下と決められている。また、アメリカビザ申請用証明写真は、写真の底辺から目のレベルまでを測った長さは、写真全体の縦の長さの５６パーセント以上６９パーセント以下と決められている。更に、アメリカビザ申請用証明写真はファイルサイズが２４０キロバイト以下と決められている。アメリカビザ申請用証明写真はファイルフォーマットがＪＰＥＧ形式と決められている。
【００９８】
図１に示したサーバ装置１４は、アメリカビザ申請用証明写真が選択されると、自動証明写真撮影装置１２、又は写真店１８から送信された画像情報を用いて、アメリカビザ申用証明写真の規格を満たす証明写真データの作成が可能である。
【００９９】
＜証明写真システムの全体構成＞
図６は証明写真システムの全体構成を示すブロック図である。図６に示す証明写真システム１０は、サーバ装置１４と自動証明写真撮影装置１２とが、通信回線３１、通信回線網３０、及び通信回線３３を介して接続される。サーバ装置１４は、自動証明写真撮影装置１２に代えて、通信回線３１、通信回線網３０、及び通信回線３３を介して、写真店１８のコンピュータ１８Ａと接続されてもよい。写真店１８のコンピュータ１８Ａは表示装置１８Ｂを備えている。また、コンピュータ１８Ａはプリンタ１８Ｃとデータ通信が可能に接続される。
【０１００】
証明写真システム１０は、サーバ装置１４と携帯端末１６Ａ、及びコンピュータ１６Ｂの少なくともいずれか一方とが、通信回線３５、通信回線網３２、及び通信回線３７を介して接続される。
【０１０１】
図１に示した端末装置１６は、図６に示した携帯端末１６Ａでもよいし、コンピュータ１６Ｂでもよい。図６に示した携帯端末１６Ａは、表示部２８Ａを備えている。コンピュータ１６Ｂは、表示装置１６Ｃを備えている。図６に示した携帯端末１６Ａの例として、携帯電話機、及びタブレット端末装置など、無線通信機能を有する装置が挙げられる。
【０１０２】
サーバ装置１４と通信回線網３０との接続例として、インターネットを介した接続が挙げられる。サーバ装置１４と通信回線網３０との他の接続例として、専用回線を用いた接続が挙げられる。サーバ装置１４と通信回線網３２との接続についても、サーバ装置１４と通信回線網３０との接続と同様である。
【０１０３】
自動証明写真撮影装置１２と通信回線網３０との接続例として移動体通信網を介した無線通信が挙げられる。写真店１８のコンピュータ１８Ａと通信回線網３０との接続例としてＬＡＮが挙げられる。ＬＡＮは無線でもよいし、有線でもよい。なお、ＬＡＮはlocal area networkの省略語である。
【０１０４】
携帯端末１６Ａと通信回線網３２との接続例として移動体通信網を介した無線通信が挙げられる。コンピュータ１６Ｂと通信回線網３２との接続例としてＬＡＮが挙げられる。ＬＡＮは無線でもよいし、有線でもよい。図６に示した通信回線網３０と通信回線網３２とを共通化してもよい。以下、図６に示した証明写真システム１０の構成要素について詳細に説明する。
【０１０５】
図６に示した自動証明写真撮影装置１２は画像データ取得装置の一態様である。図６に示した写真店１８のコンピュータ１８Ａは画像データ取得装置の一態様である。図６に示したサーバ装置１４は、画像データ取得装置、及び端末装置と接続可能に構成されたサーバ装置の一態様である。
【０１０６】
［サーバ装置の説明］
＜サーバ装置の全体構成＞
図７は図６に示したサーバ装置のブロック図である。サーバ装置１４は、制御部２００を備えている。制御部２００は、ＣＰＵ２０２、ＲＯＭ２０４、及びＲＡＭ２０６を備えている。なお、ＣＰＵはcentral processing unitの省略語である。ＲＯＭはread only memoryの省略語である。ＲＡＭはrandom access memoryの省略語である。
【０１０７】
制御部２００は、サーバ装置１４を構成する各部を統括して制御する。制御部２００はサーバ装置１４を構成する各部から送信される信号を受信する。制御部２００はサーバ装置１４を構成する各部へ指令信号を送信する。
【０１０８】
サーバ装置１４は、通信部２１０を備えている。通信部２１０は通信ポート、及び通信ドライバーを備えている。通信ポート、及び通信ドライバーの図示は省略する。通信部２１０は、図６に示した自動証明写真撮影装置１２、又は写真店１８のコンピュータ１８Ａとサーバ装置１４とのデータ通信を実行する際の、サーバ装置１４の通信インターフェースとして機能する。
【０１０９】
また、通信部２１０は、図６に示した携帯端末１６Ａ、又はコンピュータ１６Ｂとサーバ装置１４とのデータ通信を実行する際の、サーバ装置１４の通信インターフェースとして機能する。
【０１１０】
サーバ装置１４は、画像情報取得部２１２を備えている。画像情報取得部２１２は、図１に示した自動証明写真撮影装置１２から送信される画像情報を取得する。画像情報取得部２１２は、画像データを取得する画像データ取得部、及び撮影画像における頭部の位置の情報を取得する位置情報取得部を含んでいてもよい。
【０１１１】
サーバ装置１４は、画像データ記憶部２１４、及び位置情報記憶部２１６を備えている。画像データ記憶部２１４は、画像情報取得部２１２を用いて取得された画像データが記憶される。
【０１１２】
位置情報記憶部２１６は、撮影画像における頭部の位置の情報が画像データと関連付けされて記憶される。画像データ記憶部２１４、及び位置情報記憶部２１６を用いて画像データベースを構成してもよい。画像データベースは、画像データの識別情報をインデックスとして、撮影画像の画像データ、及び撮影画像における頭部の位置の情報を読み出し可能に構成してもよい。
【０１１３】
サーバ装置１４は、ログイン処理部２１７を備えている。ログイン処理部２１７は、図６に示した携帯端末１６Ａ、又はコンピュータ１６Ｂから送信された受付番号、及びパスワードの受信に起因して、携帯端末１６Ａ、又はコンピュータ１６Ｂに対するログイン処理を実行する。
【０１１４】
サーバ装置１４は、選択画面記憶部２１８を備えている。選択画面記憶部２１８は、通信部２１０を介して、図１に示した端末装置１６の表示部２８Ａに表示される選択画面のデータが記憶される。
【０１１５】
図７に示したサーバ装置１４は、選択情報取得部２２０、及び選択情報設定部２２２を備えている。選択情報取得部２２０は、通信部２１０を介して図１に示した端末装置１６から送信される証明写真の種類の選択情報を取得する。
【０１１６】
選択情報取得部２２０を用いて取得された証明写真の種類の選択情報を記憶する選択情報記憶部を備えてもよい。選択情報設定部２２２は、選択情報取得部２２０を用いて取得された証明写真の種類の選択情報に基づき、証明写真データを作成する証明写真の種類を設定する。証明写真の種類の設定は、証明写真のサイズの規格を表すパラメータの設定が含まれる。
【０１１７】
サーバ装置１４は、証明写真データ作成部２２４、証明写真データ記憶部２２５、証明写真データ送信部２２６、保管期限管理部２３０、及び課金管理部２３２を備えている。証明写真データ作成部２２４は、画像データ記憶部２１４から画像データを読み出す。
【０１１８】
証明写真データ作成部２２４は、位置情報記憶部２１６から、画像データ記憶部２１４から読み出された撮影画像における頭部の位置の情報を読み出す。証明写真データ作成部２２４は、選択情報設定部２２２を用いて設定された証明写真の種類に対応する、証明写真データを生成する。
【０１１９】
証明写真データ記憶部２２５は、証明写真データ作成部２２４を用いて作成された証明写真データが記憶される。
【０１２０】
証明写真データ送信部２２６は、通信部２１０を介して、図６に示した携帯端末１６Ａ、及びコンピュータ１６Ｂの少なくともいずれか一方に、証明写真データ作成部２２４を用いて作成された証明写真データを送信する。
【０１２１】
サーバ装置１４は、プログラム記憶部２２８を備えている。プログラム記憶部２２８は、サーバ装置１４において実行されるプログラムが記憶されている。プログラム記憶部２２８に記憶されているプログラムは、制御部２００を用いて読み出され、制御部２００を用いて実行される。
【０１２２】
保管期限管理部２３０は、画像データ記憶部２１４に記憶された画像データの保管期限、及び位置情報記憶部２１６に記憶された位置情報の保管期限を管理する。保管期限管理部２３０は、画像データごとに画像データ記憶部２１４に記憶された年月日、及び保管期限の末日が記憶される。また、保管期限管理部２３０は、位置情報ごとに位置情報記憶部２１６に記憶された年月日、及び保管期限の末日が記憶される。
【０１２３】
課金管理部２３２は、画像データごとの課金を管理する。課金管理部２３２は、画像データごとの証明写真データのダウンロード数を記憶する。課金管理部２３２は、画像データごとの証明写真データのダウンロード数に、証明写真データの単価を乗算した画像データごとの代金を記憶してもよい。
【０１２４】
図７には、サーバ装置１４を構成する構成要素を機能ごとに列挙した。図７に示したサーバ装置１４の各構成要素は、電気回路などのハードウエアを用いて構成されてもよいし、ハードウエアとプログラムとを組み合わせて構成されてもよい。
【０１２５】
図７に示した画像情報取得部２１２は画像情報取得手段の一態様である。画像データ記憶部２１４は画像情報記憶手段の一態様である。位置情報記憶部２１６は画像情報記憶手段の一態様である。
【０１２６】
選択情報取得部２２０は規格情報取得手段の一態様である。選択情報は規格情報の一態様である。証明写真データ作成部２２４は証明写真データ作成手段の一態様である。証明写真データ送信部２２６は送信手段の一態様である。保管期限管理部２３０は保管期間設定手段の一態様である。
【０１２７】
＜ログイン処理の手順＞
図８は図７に示したサーバ装置におけるログイン処理の手順を示すフローチャートである。図６に示した携帯端末１６Ａ、又はコンピュータ１６Ｂを用いてユーザが図１に示した画像受取サイト２４にアクセスする。
【０１２８】
図７に示したログイン処理部２１７は、図８のログイン画面表示工程Ｓ１０を実行する。まず、図７に示したログイン処理部２１７は、図６に示した携帯端末１６Ａの表示部２８Ａ、又はコンピュータ１６Ｂの表示装置１６Ｃにログイン画面を表示させる。
【０１２９】
ユーザは、携帯端末１６Ａ、又はコンピュータ１６Ｂを用いて、ログイン情報の入力が可能である。ログイン情報は、図１に示した写真データ受付証２２に印刷されている受付番号、及びパスワードが含まれる。
【０１３０】
図６に示した携帯端末１６Ａ、又はコンピュータ１６Ｂを用いて入力されたログイン情報は、図７に示した通信部２１０を介してサーバ装置１４へ入力される。次に、ログイン処理部２１７は図８のログイン情報取得工程Ｓ１２を実行する。
【０１３１】
ログイン情報取得工程Ｓ１２では、図７に示したログイン処理部２１７は、ログイン情報を取得する。ログイン処理部２１７は、図８のログイン情報取得工程Ｓ１２を実行した後に、ログイン情報照会工程Ｓ１４を実行する。
【０１３２】
ログイン情報照会工程Ｓ１４では、図７に示したログイン処理部２１７は、図６に示した携帯端末１６Ａ、又はコンピュータ１６Ｂを用いて入力されたログイン情報が、サーバ装置１４に記憶されているログイン情報と一致するか否かを判定する。
【０１３３】
図８のログイン情報照会工程Ｓ１４において、図７に示したログイン処理部２１７が、図６に示した携帯端末１６Ａ、又はコンピュータ１６Ｂから送信されたログイン情報と、サーバ装置１４に記憶されているログイン情報とが一致すると判断した場合はＹｅｓ判定となる。
【０１３４】
図８のログイン情報照会工程Ｓ１４においてＹｅｓ判定の場合は、図７に示したログイン処理部２１７は、図８のログイン処理工程Ｓ１６を実行する。ログイン処理工程Ｓ１６では、図７に示したログイン処理部２１７は、図６に示した携帯端末１６Ａ、又はコンピュータ１６Ｂに対して、図１に示した画像受取サイト２４へアクセスする権限を付与する処理を実行する。
【０１３５】
図８のログイン処理工程Ｓ１６において、図７に示したログイン処理部２１７は、図６に示した携帯端末１６Ａの表示部２８Ａ、又はコンピュータ１６Ｂの表示装置１６Ｃへログインに成功したことを表す情報を表示させてもよい。
【０１３６】
図７に示したログイン処理部２１７は、図８のログイン処理工程Ｓ１６が実行された後に、ログイン処理の手順を終了させる。
【０１３７】
ログイン情報照会工程Ｓ１４において、図７に示したログイン処理部２１７が、携帯端末１６Ａ、又はコンピュータ１６Ｂから送信されたログイン情報と、サーバ装置１４に記憶されているログイン情報とが不一致であると判定した場合はＮｏ判定となる。
【０１３８】
図８のログイン情報照会工程Ｓ１４においてＮｏ判定の場合は、図７に示したログイン処理部２１７は、図８のログイン回数判定工程Ｓ１８を実行する。ログイン回数判定工程Ｓ１８では、図７に示したログイン処理部２１７は、ログインの試行回数が予め決められた規定回数以上であるか否かを判定する。
【０１３９】
図８のログイン回数判定工程Ｓ１８において、図７に示したログイン処理部２１７が、ログインの試行回数が予め決められた規定回数未満であると判定した場合はＮｏ判定となる。
【０１４０】
図８のログイン回数判定工程Ｓ１８においてＮｏ判定の場合は、図７に示したログイン処理部２１７は、図８のログイン画面表示工程Ｓ１０を実行する。以降、図７に示したログイン処理部２１７は、図８のログイン回数判定工程Ｓ１８においてＹｅｓとなるまで、ログイン画面表示工程Ｓ１０からログイン回数判定工程Ｓ１８までの各工程を繰り返し実行する。
【０１４１】
ログイン回数判定工程Ｓ１８において、図７に示したログイン処理部２１７が、ログインの試行回数が予め決められた規定回数以上であると判定した場合はＹｅｓ判定となる。図８のログイン回数判定工程Ｓ１８においてＹｅｓ判定の場合は、図７に示したログイン処理部２１７は、図８のエラーメッセージ表示工程Ｓ２４を実行する。
【０１４２】
エラーメッセージ表示工程Ｓ２４では、図７に示したログイン処理部２１７は、図６に示した携帯端末１６Ａの表示部２８Ａ、又はコンピュータ１６Ｂの表示装置１６Ｃにエラーメッセージを表示させる。
【０１４３】
図８のエラーメッセージ表示工程Ｓ２４が実行された後に、図７に示したログイン処理部２１７は、図８のログイン処理の手順を終了させる。
【０１４４】
＜証明写真データ出力方法の手順＞
図９は図７に示したサーバ装置における証明写真データ出力方法の手順を示すフローチャートである。図９に示した証明写真データ出力方法の手順は、図７に示したサーバ装置１４が、図８に示したログイン処理工程Ｓ１６を実行した後に実行される。
【０１４５】
図７に示したサーバ装置１４は、図９の選択画面表示工程Ｓ１００を実行する。選択画面表示工程Ｓ１００では、図７に示したサーバ装置１４は、選択画面記憶部２１８に記憶されている選択画面を、図６に示した携帯端末１６Ａの表示部２８Ａ、又はコンピュータ１６Ｂの表示装置１６Ｃに表示させる。選択画面は、図４に符号１２０を付して図示する。
【０１４６】
ユーザは、図４に示した選択画面１２０から証明写真の種類の選択が可能である。例えば、ユーザが選択画面１２０のアメリカビザ申請用選択ボタン１２８を選択することに起因して、図６に示した携帯端末１６Ａ、又はコンピュータ１６Ｂは、証明写真の種類としてアメリカビザ申請用証明写真を選択したことを表す信号をサーバ装置１４へ送信する。
【０１４７】
サーバ装置１４が証明写真の選択情報を表す信号を受信することに起因して、図７に示した選択情報取得部２２０は、図９の選択情報取得工程Ｓ１０２を実行する。選択情報取得工程Ｓ１０２では、図７に示した選択情報取得部２２０は、証明写真の選択情報を取得する。
【０１４８】
証明写真データ作成部２２４は、図９の選択情報取得工程Ｓ１０２を実行した後に、画像データ読出工程Ｓ１０４を実行する。画像データ読出工程Ｓ１０４では、図７に示した証明写真データ作成部２２４は、画像データ記憶部２１４からログイン処理の際に取得したログイン情報の受付番号に対応する画像データを読み出す。
【０１４９】
証明写真データ作成部２２４は、図９の画像データ読出工程Ｓ１０４を実行した後に、位置情報読出工程Ｓ１０６を実行する。位置情報読出工程Ｓ１０６では、図７に示した証明写真データ作成部２２４は、位置情報記憶部２１６からログイン処理の際に取得したログイン情報の受付番号に対応する位置情報を読み出す。
【０１５０】
証明写真データ作成部２２４は、図９の位置情報読出工程Ｓ１０６を実行した後に、証明写真データ作成工程Ｓ１０８を実行する。証明写真データ作成工程Ｓ１０８では、図７に示した証明写真データ作成部２２４は、ログイン情報の受付番号に対応する画像データ、及び位置情報を用いて、受付番号に対応する証明写真データを作成する。
【０１５１】
例えば、ユーザがアメリカビザ申請用証明写真を選択した場合は、証明写真データ作成部２２４は、アメリカビザ申請用証明写真の規格に対応して、画像データにおけるサイズ、画素数、証明写真全体における頭部の比率等の修正を実行する。図９の証明写真データ作成工程Ｓ１０８の詳細は後述する。
【０１５２】
図７に示した制御部２００は、図９の証明写真データ作成工程Ｓ１０８が実行された後に、証明写真データ記憶工程Ｓ１１０を実行する。証明写真データ記憶工程Ｓ１１０では、図７に示した制御部２００は、証明写真データ作成部２２４を用いて作成された証明写真データを証明写真データ記憶部２２５へ記憶する。
【０１５３】
制御部２００は、図９の証明写真データ記憶工程Ｓ１１０を実行した後に、証明写真表示工程Ｓ１１２を実行する。証明写真表示工程Ｓ１１２では、図７に示した制御部２００は、図６に示した携帯端末１６Ａの表示部２８Ａ、又はコンピュータ１６Ｂの表示装置１６Ｃへ、証明写真データが表す証明写真を表示させる。
【０１５４】
図７に示した制御部２００は、図９の証明写真表示工程Ｓ１１２を実行した後に、証明写真データ送信工程Ｓ１１４を実行する。証明写真データ送信工程Ｓ１１４では、図７に示した制御部２００は、図６に示した携帯端末１６Ａ、又はコンピュータ１６Ｂへ証明写真データを送信する。
【０１５５】
図７に示した制御部２００は、図９の証明写真データ送信工程Ｓ１１４を実行した後に、証明写真データ出力方法の手順を終了する。
【０１５６】
図１０は図９に示した証明写真データ出力方法における証明写真データ作成工程の手順を示すフローチャートである。図９の証明写真データ作成工程Ｓ１０８は図１０に示した手順に沿って実行される。
【０１５７】
図７に示した選択情報設定部２２２は、図１０の種類設定工程Ｓ１４０を実行する。種類設定工程Ｓ１４０では、図７の選択情報設定部２２２は、図９の選択情報取得工程Ｓ１０２において取得した選択情報に応じて証明写真の種類を設定する。
【０１５８】
図７に示した証明写真データ作成部２２４は、図１０の種類設定工程Ｓ１４０を実行した後に、パラメータ設定工程Ｓ１４２を実行する。パラメータ設定工程Ｓ１４２では、図７に示した証明写真データ作成部２２４は、証明写真データの作成に必要なパラメータを設定する。アメリカビザ申請用証明写真が選択された場合、パラメータとして画素数、頭頂部の位置、あごの位置、及び目の位置が設定される。
【０１５９】
証明写真データ作成部２２４は、図１０のパラメータ設定工程Ｓ１４２を実行した後に、画像サイズ設定工程Ｓ１４４を実行する。画像サイズ設定工程Ｓ１４４では、証明写真データ作成部２２４は、証明写真のサイズを設定する。
【０１６０】
証明写真データ作成部２２４は、図１０の画像サイズ設定工程Ｓ１４４を実行した後に、画素数設定工程Ｓ１４６を実行する。画素数設定工程Ｓ１４６では、図７に示した証明写真データ作成部２２４は、証明写真データの画素数を設定する。図１０の画像サイズ設定工程Ｓ１４４、又は画素数設定工程Ｓ１４６のいずれか一方を省略してもよい。
【０１６１】
証明写真データ作成部２２４は、図１０の画素数設定工程Ｓ１４６を実行した後に、頭頂位置設定工程Ｓ１４８を実行する。頭頂位置設定工程Ｓ１４８では、図７に示した証明写真データ作成部２２４は、証明写真データにおける頭頂部の位置を設定する。
【０１６２】
証明写真データ作成部２２４は、図１０の頭頂位置設定工程Ｓ１４８を実行した後に、あご位置設定工程Ｓ１５０を実行する。あご位置設定工程Ｓ１５０では、図７に示した証明写真データ作成部２２４は、証明写真データにおけるあごの位置を設定する。
【０１６３】
証明写真データ作成部２２４は、図１０のあご位置設定工程Ｓ１５０を実行した後に、目位置設定工程Ｓ１５２を実行する。目位置設定工程Ｓ１５２では、図７に示した証明写真データ作成部２２４は、証明写真データにおける目の位置を設定する。
【０１６４】
図１０の画像サイズ設定工程Ｓ１４４から目位置設定工程Ｓ１５２までの工程が実行された後に、図７に示した証明写真データ作成部２２４は、図１０の演算工程Ｓ１５４を実行する。
【０１６５】
図１０の画素数設定工程Ｓ１４６、頭頂位置設定工程Ｓ１４８、あご位置設定工程Ｓ１５０、及び目位置設定工程Ｓ１５２の順序は入れ替えが可能である。
【０１６６】
演算工程Ｓ１５４では、図７に示した証明写真データ作成部２２４は、証明写真データにおける頭頂位置、目の位置、あごの位置、及び中央位置を求める演算を実行する。例えば、アメリカビザ申請用証明写真データを作成する場合、元の画像データにおける頭頂部の座標、あごの位置の座標、目の位置の座標から、証明写真データにおける頭頂部の座標、あごの位置の座標、目の位置の座標を演算する。
【０１６７】
また、図１０の演算工程Ｓ１５４では、図７に示した証明写真データ作成部２２４は、証明写真データの画素数に応じて、元の画像データに対して施される拡大処理、縮小処理、間引き処理、補間処理、画素の移動処理の処理量を決定する。演算工程Ｓ１５４は、証明写真データのファイルサイズを調整する処理が含まれていてもよい。
【０１６８】
証明写真データ作成部２２４は、図１０の演算工程Ｓ１５４が実行された後に、画像処理工程Ｓ１５６を実行する。画像処理工程Ｓ１５６では、図７に示した証明写真データ作成部２２４は、図１０の演算工程Ｓ１５４の演算結果を用いて、元の画像データに対して証明写真データを作成する画像処理を実行する。画像処理工程Ｓ１５６は、証明写真データのファイル形式を変換する処理が含まれていてもよい。
【０１６９】
図７に示した証明写真データ作成部２２４は、図１０の画像処理工程Ｓ１５６が実行した後に、証明写真データ作成工程を終了する。
【０１７０】
＜画像データ保管方法の手順＞
図１１は図７に示したサーバ装置における画像データの保管方法の手順を示すフローチャートである。図６に示した証明写真システム１０は、自動証明写真撮影装置１２を用いて撮影された画像データ、又は写真店１８において証明写真作成プログラム２０を用いて作成された画像データの保管期限を管理する。
【０１７１】
保管期限は、全ての画像情報について同一の期間としてもよいし、画像データごとに設定されてもよい。例えば、保管期間が経過する前の追加料金の支払いに起因して、保管期間を延長してもよい。
【０１７２】
図１１に示した画像データの保管方法は、図７に示した保管期限管理部２３０を用いて実行される。保管期限管理部２３０は、図１１の画像情報取得日情報取得工程Ｓ２００を実行する。
【０１７３】
画像情報取得日情報取得工程Ｓ２００では、図７に示した保管期限管理部２３０は、図６に示した自動証明写真撮影装置１２、又は写真店１８から画像情報がアップロードされた年月日を取得する。
【０１７４】
図７に示した保管期限管理部２３０は、図１１の画像情報取得日情報取得工程Ｓ２００を実行した後に、画像情報取得日情報記憶工程Ｓ２０２を実行する。画像情報取得日情報記憶工程Ｓ２０２では、図７に示した保管期限管理部２３０は、図１１の画像情報取得日情報取得工程Ｓ２００において取得された画像情報がアップロードされた年月日を記憶する。
【０１７５】
図７に示した保管期限管理部２３０は、図１１の画像情報取得日情報記憶工程Ｓ２０２を実行した後に、判定工程Ｓ２０４を実行する。判定工程Ｓ２０４では、図７に示した保管期限管理部２３０は、画像情報が記憶されてからの経過期間が、予め決められている保管期間を超えていないか否かが判定する。
【０１７６】
図１１の判定工程Ｓ２０４において、図７に示した保管期限管理部２３０が、画像情報が記憶されてからの経過期間が予め決められている保管期間を超えていないと判定する場合はＮｏ判定となる。
【０１７７】
図１１の判定工程Ｓ２０４においてＮｏ判定の場合は、図７に示した保管期限管理部２３０は、図１１の判定工程Ｓ２０４においてＹｅｓ判定となるまで、判定工程Ｓ２０４を実行する。
【０１７８】
判定工程Ｓ２０４において、図７に示した保管期限管理部２３０が、画像情報が記憶されてからの経過期間が予め決められている保管期間を超えていると判定する場合はＹｅｓ判定となる。
【０１７９】
図１１の判定工程Ｓ２０４においてＹｅｓ判定の場合は、図７に示した保管期限管理部２３０は、図１１の画像情報廃棄工程Ｓ２０６を実行する。画像情報廃棄工程Ｓ２０６では、図７に示した保管期限管理部２３０は、保管期限を超えた画像情報を廃棄する。保管期限管理部２３０は、図１１の画像情報廃棄工程Ｓ２０６を実行した後に、廃棄した画像情報についての図１１に示した画像データ保管方法を終了する。
【０１８０】
［自動証明写真撮影装置の説明］
次に、図６に示した自動証明写真撮影装置１２について詳細に説明する。
【０１８１】
＜自動証明写真撮影装置の構成＞
図１２は図６に示した自動証明写真撮影装置のブロック図である。図１２に示した自動証明写真撮影装置１２は、撮影室３００、及び機械室３０２を備えている。撮影室３００は、タッチパネル３０４を備えている。タッチパネル３０４は、撮影室３００と機械室３０２とを仕切る壁３２４に固定されている。
【０１８２】
タッチパネル３０４は、表示機能、及び操作機能を備えている。表示機能は、撮影前の人物の顔、及び撮影後に人物の撮影画像を表示する。操作機能は、ユーザの操作に起因して、ユーザの操作に対応する信号を制御部３１４へ送信する。タッチパネル３０４の詳細は後述する。
【０１８３】
撮影室３００は、椅子３０６を備えている。自動証明写真撮影装置１２は、撮影対象の人物３０８が椅子３０６に座った状態で撮影対象の人物の撮影を実行する。
【０１８４】
機械室３０２は、カメラ３１０、及びストロボ装置３１２を備えている。カメラ３１０は電子カメラが適用される。電子カメラは撮影対象の人物のデジタル形式の画像データを生成する。ストロボ装置３１２は、電子カメラの撮影の際に、撮影対象の人物にストロボ光を照射する。
【０１８５】
機械室３０２は、制御部３１４、メモリ３１６、及び演算部３１８を備えている。制御部３１４、メモリ３１６、及び演算部３１８は、制御基板に搭載されていてもよい。
【０１８６】
制御部３１４は、ＣＰＵ、ＲＡＭ、及びＲＯＭを備えている。図１２では、制御部３１４を構成するＣＰＵ、ＲＡＭ、及びＲＯＭの図示は省略する。制御部３１４は、カメラ３１０、及びストロボ装置３１２と電気信号を伝送可能に接続される。制御部３１４は、メモリ３１６、及び演算部３１８と電気信号を伝送可能に接続される。
【０１８７】
メモリ３１６は、カメラ３１０を用いて取得された画像データが記憶される。画像データのフォーマットの例として、ＪＰＥＧ、及びＢＭＰが挙げられる。なお、ＪＰＥＧはJoint Photographic Experts Groupの省略語である。ＢＭＰはBitmapの省略語である。
【０１８８】
演算部３１８は、制御部３１４から送信される指令信号に基づいて、演算を実行する。演算部３１８が実行する演算の例として、カメラ３１０を用いて取得された撮影画像における頭部の位置を算出する演算が挙げられる。
【０１８９】
機械室３０２はプリンタ３２０が備えられている。プリンタ３２０は、制御部３１４と電気信号を伝送可能に接続される。プリンタ３２０はインクジェット方式のプリンタが適用可能である。
【０１９０】
自動証明写真撮影装置１２は、通信部３２２を備えている。通信部３２２は、制御部３１４と電気信号を伝送可能に接続される。通信部３２２は、図６に示した通信回線３３と接続される。図１２に示した通信部３２２と図６に示した通信回線３３との接続は、無線でもよいし、有線でもよい。
【０１９１】
撮影室３００と機械室３０２とを仕切る壁３２４は、カメラ３１０の配置位置に対応する位置に撮影用の窓が備えられている。カメラ３１０は、撮影用の窓を介して撮影室３００の人物３０８を撮影する。
【０１９２】
撮影室３００と機械室３０２とを仕切る壁３２４は、ストロボ装置３１２の配置位置に対応する位置にストロボ装置３１２用の窓が備えられている。ストロボ装置３１２は、ストロボ装置３１２用の窓を介して、撮影対象の人物３０８にストロボ光を照射する。なお、撮影用の窓、及びストロボ装置３１２用の窓の図示は省略する。
【０１９３】
制御部３１４は、タッチパネル３０４から出力された情報を取得する。制御部３１４は、タッチパネル３０４から出力された情報に基づいて、カメラ３１０、ストロボ装置３１２、メモリ３１６、演算部３１８、プリンタ３２０、及び通信部３２２の動作を制御する。
【０１９４】
制御部３１４は、図６に示したサーバ装置１４における画像データの記憶位置、及び位置情報の記憶位置の情報を取得する。なお、図１２に示した自動証明写真撮影装置１２は、証明写真以外の用途に使用される写真の撮影も可能である。
【０１９５】
図１２に示した通信部３２２は通信手段の一態様である。カメラ３１０は画像データ取得手段の一態様である。演算部３１８は位置情報取得手段の一態様である。制御部３１４は画像情報送信手段の一態様である。
【０１９６】
タッチパネル３０４は設定手段の一態様である。図１に示した画像受取サイト２４はサーバ装置における記憶位置の一態様である。図７に示した画像データ記憶部２１４、位置情報記憶部２１６はサーバ装置における記憶位置の一態様である。
【０１９７】
図１２に示した制御部３１４は記憶位置情報取得手段の一態様である。プリンタ３２０は情報出力手段の一態様である。カメラ３１０は撮影手段の一態様である。
【０１９８】
＜証明写真撮影方法の手順＞
図１３は図１２に示した自動証明写真撮影装置における証明写真撮影方法の手順を示すフローチャートである。証明写真撮影方法が開始されると、図１２に示した制御部３１４は、サービス商品選択工程Ｓ３００を実行する。図１３のサービス商品選択工程Ｓ３００では、図１２に示した制御部３１４は、タッチパネル３０４に商品選択画面を表示させる。
【０１９９】
ユーザは、タッチパネル３０４に表示された商品選択画面から、タッチパネル３０４を操作して所望の商品を選択することが可能である。サービス商品の選択情報は、制御部３１４へ送信される。
【０２００】
制御部３１４は、図１３のサービス商品選択工程Ｓ３００を実行した後に、通信確認工程Ｓ３０２を実行する。通信確認工程Ｓ３０２は、図１２に示した通信部３２２を介して、自動証明写真撮影装置１２と図６に示したサーバ装置１４との通信が可能であるかを確認する。
【０２０１】
図１２に示した制御部３１４は、図１３の通信確認工程Ｓ３０２を実行した後に、利用規約確認工程Ｓ３０４を実行する。利用規約確認工程Ｓ３０４では、図１２に示した制御部３１４は、タッチパネル３０４に利用規約確認画面を表示させる。
【０２０２】
利用規約確認画面は、利用規約が表示される。利用規約確認画面は、利用規約同意ボタン、及び利用規約非同意ボタンが表示される。利用規約同意ボタンが押されると、利用規約同意ボタンが押されたことを表す信号がタッチパネル３０４から制御部３１４へ送られる。利用規約非同意ボタンが押されると、利用規約非同意ボタンが押されたことを表す信号がタッチパネル３０４から制御部３１４へ送られる。
【０２０３】
制御部３１４は、利用規約非同意ボタンが押されたことを表す信号を受信したことに起因して、証明写真撮影方法を終了する。制御部３１４は、利用規約同意ボタンが押されたことを表す信号を受信することに起因して、図１３の商品代金投入確認工程Ｓ３０６を実行する。
【０２０４】
商品代金投入確認工程Ｓ３０６では、図１２に示した制御部３１４は、商品代金、及び商品代金を商品代金投入部へ投入することを催促する表示をタッチパネル３０４に表示させる。なお、商品代金投入部の図示は省略する。
【０２０５】
図示されない商品代金投入部へ商品代金が投入されたことに起因して、商品代金が投入されたことを表す信号が、商品代金投入部から制御部３１４へ送信される。制御部３１４は、図１３の商品代金投入確認工程Ｓ３０６を実行した後に、撮影工程Ｓ３０８を実行する。
【０２０６】
撮影工程Ｓ３０８では、図１２に示した制御部３１４は、カメラ３１０を用いて人物を撮影する。カメラ３１０を用いて取得された画像データは、メモリ３１６へ記憶される。図１３の撮影工程Ｓ３０８は、画角の調整、及びピント合わせなど、図１２に示したカメラ３１０を用いた撮影に必要な処理が含まれる。
【０２０７】
制御部３１４は、図１３の撮影工程Ｓ３０８を実行した後に、撮影画像確認工程Ｓ３１０を実行する。撮影画像確認工程Ｓ３１０では、図１２に示した制御部３１４は、タッチパネル３０４に撮影画像確認画面を表示させる。なお、撮影画像確認画面の図示は省略する。
【０２０８】
図示しない撮影画像確認画面は、撮影画像が表示される。撮影画像確認画面は、撮影画像確認画面に表示された撮影画像を購入するか、撮影のやり直しを行うかを選択する選択ボタンが表示される。制御部３１４は、撮影のやり直しが選択されたことを表す信号を受信したことに起因して、図１３の撮影工程Ｓ３０８を実行する。
【０２０９】
制御部３１４は、影画像確認画面に表示された撮影画像を購入することを表す信号を受信したことに起因して、図１３の頭部位置設定工程Ｓ３１２を実行する。
【０２１０】
頭部位置設定工程Ｓ３１２では、図１２に示した制御部３１４は、タッチパネル３０４に頭部位置設定画面を表示させる。頭部位置設定画面は図１４に符号３５０を付して図示する。
【０２１１】
ユーザは、頭部位置設定画面が表示されるタッチパネル３０４を操作して、撮影画像における頭部の位置を確認し、設定することができる。頭部位置設定画面、及び撮影画像における頭部の位置の設定の詳細は後述する。
【０２１２】
制御部３１４は、タッチパネル３０４から送信された撮影画像における頭部の位置の情報を撮影画像と関連付けして、メモリ３１６に記憶する。制御部３１４は、図１３の頭部位置設定工程Ｓ３１２を実行した後に、画像情報送信工程Ｓ３１４を実行する。
【０２１３】
画像情報送信工程Ｓ３１４では、図１２に示した制御部３１４は、メモリ３１６に記憶されている撮影画像の画像データ、及び撮影画像における頭部の位置情報を、図６に示したサーバ装置１４へ送信する。
【０２１４】
制御部３１４は、図１３の画像情報送信工程Ｓ３１４を実行した後に、写真データ受付証プリント工程Ｓ３１６を実行する。写真データ受付証プリント工程Ｓ３１６では、図１２に示した制御部３１４は、プリンタ３２０を用いて、図３に示した写真データ受付証２２を印刷する。
【０２１５】
図１２に示した制御部３１４は、図１３の写真データ受付証プリント工程Ｓ３１６を実行した後に、証明写真撮影方法を終了する。
【０２１６】
＜頭部位置の設定＞
図１４は頭部位置設定画面の一例を示す図である。図１４に示した頭部位置設定画面３５０は、図１２に示したタッチパネル３０４に表示される。なお、図１４に示した頭の先は頭頂と同義である。また、あごの先はあごと同義である。図１５についても同様である。
【０２１７】
図１４に示した頭部位置設定画面３５０は、撮影画像表示部３５２、中央位置調整部３５４、頭頂位置調整部３５６、目位置調整部３５８、及びあご位置調整部３６０を備えている。また、頭部位置設定画面３５０は、操作指示表示部３６２、及びエンターボタン３６４を備えている。
【０２１８】
撮影画像表示部３５２は、図２に示した撮影画像４０が表示される。撮影画像表示部３５２は、中央位置バー３７０、頭位置バー３７２、目位置バー３７４、及びあご位置バー３７６が表示される。
【０２１９】
中央位置調整部３５４は、左移動ボタン３８０、及び右移動ボタン３８２を備えている。頭頂位置調整部３５６は、頭頂位置上移動ボタン３８４、及び頭頂位置下移動ボタン３８６を備えている。目位置調整部３５８は、目位置上移動ボタン３８８、及び目位置下移動ボタン３９０を備えている。あご位置調整部３６０は、あご位置上移動ボタン３９２、及びあご位置下移動ボタン３９４を備えている。
【０２２０】
中央位置調整部３５４の左移動ボタン３８０を操作すると、中央位置バー３７０を左方向へ移動させることが可能である。中央位置調整部３５４の右移動ボタン３８２を操作すると、中央位置バー３７０を右方向へ移動させることが可能である。エンターボタン３６４を操作すると、中央位置バー３７０の位置を確定させることが可能である。
【０２２１】
頭頂位置調整部３５６の頭頂位置上移動ボタン３８４を操作すると、頭位置バー３７２を上方向へ移動させることが可能である。頭頂位置調整部３５６の頭頂位置下移動ボタン３８６を操作すると、頭位置バー３７２を下方向へ移動させることが可能である。エンターボタン３６４を操作すると、頭位置バー３７２の位置を確定させることが可能である。
【０２２２】
目位置調整部３５８の目位置上移動ボタン３８８を操作すると、目位置バー３７４を上方向へ移動させることが可能である。目位置調整部３５８の目位置下移動ボタン３９０を操作すると、目位置バー３７４を下方向へ移動させることが可能である。エンターボタン３６４を操作すると、目位置バー３７４の位置を確定させることが可能である。
【０２２３】
あご位置調整部３６０のあご位置上移動ボタン３９２を操作すると、あご位置バー３７６を上方向へ移動させることが可能である。あご位置調整部３６０のあご位置下移動ボタン３９４を操作すると、あご位置バー３７６を下方向へ移動させることが可能である。
【０２２４】
操作指示表示部３６２は、ユーザに対して、中央位置バー３７０、頭位置バー３７２、目位置バー３７４、及びあご位置バー３７６の位置の移動を促す文字情報が表示可能である。
【０２２５】
図１３の頭部位置設定工程Ｓ３１２では、図１４に示した頭部位置設定画面３５０を用いて、ユーザが撮影画像４０における中央位置、頭頂の位置、目の位置、及びあごの位置を設定する。
【０２２６】
中央位置は、頭頂とあごとを結んだ線が向く方向と直交する方向における、頭部の中央位置である。頭部は顔、及び頭髪が含まれる。
【０２２７】
エンターボタン３６４が押されることに起因して、図１２に示した制御部３１４は、撮影画像４０における中央位置の情報、頭頂の位置の情報、目の位置の情報、及びあごの位置の情報をタッチパネル３０４から取得する。制御部３１４は、中央位置の情報、頭頂の位置の情報、目の位置の情報、及びあごの位置の情報をメモリ３１６に記憶する。
【０２２８】
＜頭部位置の説明＞
図１５は頭部の位置の説明図である。図１５には、図１４に示した頭部位置設定画面３５０に表示される撮影画像４０が図示されている。撮影画像４０における頭部の位置は、撮影画像４０における任意の画素位置を原点とする二次元直交座標を用いて特定することが可能である。
【０２２９】
図１５に示した例では、撮影画像４０における左上隅の画素位置を原点とし、横方向がＸ軸とされ、縦方向がＹ軸とされる。撮影画像４０における縦は、頭頂４１とあごの先端４５とを結ぶ線の方向である。撮影画像４０における縦は、頭頂４１とあごの先端４５とを結ぶ線と直交する線の方向である。
【０２３０】
図１５に示した頭頂４１の位置はＹ座標を用いて特定される。頭位置バー３７２のＹ座標が頭頂の位置として特定される。左目４３Ａ、及び右目４３Ｂの少なくともいずれか一方を含む目の位置はＹ座標を用いて特定される。目位置バー３７４のＹ座標が目の位置として特定される。
【０２３１】
あごの位置はＹ座標を用いて特定される。あご位置バー３７６のＹ座標があごの位置として特定される。中央位置はＸ座標を用いて特定される。中央位置バー３７０のＸ座標が中央位置として特定される。
【０２３２】
すなわち、図１２に示した制御部３１４は、図１５に示した中央位置バー３７０のＸ座標、頭位置バー３７２のＹ座標、目位置バー３７４のＹ座標、及びあご位置バー３７６のＹ座標をタッチパネル３０４から取得する。
【０２３３】
図１２に示した制御部３１４は、演算部３１８を用いて、撮影画像４０の画像データにおける中央位置、頭頂の位置、目の位置、及びあごの位置を算出する。演算部３１８は、撮影画像４０における座標を、撮影画像４０の画像データにおける座標に変換して、撮影画像４０の画像データにおける中央位置、頭頂の位置、目の位置、及びあごの位置を算出することが可能である。
【０２３４】
［証明写真作成プログラムの説明］
＜証明写真データ作成方法の手順＞
次に、図１２に示した写真店１８のコンピュータ１８Ａにインストールされた証明写真作成プログラムを用いた撮影画像の画像データ、及び撮影画像における頭部の位置の情報の生成について説明する。
【０２３５】
図１６は証明写真作成プログラムを用いた証明写真データ作成方法の手順を示すフローチャートである。図６に示したコンピュータ１８Ａは、図１６の証明写真作成プログラム起動工程Ｓ４００を実行する。
【０２３６】
図６に示したコンピュータ１８Ａは、図１６の証明写真作成プログラム起動工程Ｓ４００を実行した後に、撮影画像取得工程Ｓ４０２を実行する。撮影画像取得工程Ｓ４０２では、図６に示したコンピュータ１８Ａは、コンピュータ１８Ａに備えられたデータ入力部を用いて撮影画像を取得する。撮影画像は、電子カメラを用いて撮影された画像でもよいし、スキャナ等の読取装置を用いて写真を読み取った画像でもよい。
【０２３７】
コンピュータ１８Ａは、図１６の撮影画像取得工程Ｓ４０２を実行した後に、撮影画像表示工程Ｓ４０４を実行する。撮影画像表示工程Ｓ４０４では、図６に示したコンピュータ１８Ａは、表示装置１８Ｂに頭部位置設定画面を表示させる。頭部位置設定画面は図１７に符号４００を付して図示する。頭部位置設定画面の詳細は後述する。
【０２３８】
図６に示したコンピュータ１８Ａは、図１６の撮影画像表示工程Ｓ４０４を実行した後に、頭部位置設定工程Ｓ４０６を実行する。頭部位置設定工程Ｓ４０６では、ユーザは、図６に示したコンピュータ１８Ａを操作して、撮影画像における頭部の位置を設定することができる。撮影画像における頭部の位置の設定の詳細は後述する。
【０２３９】
コンピュータ１８Ａは、図１６の頭部位置設定工程Ｓ４０６を実行した後に、画像情報送信工程Ｓ４０８を実行する。画像情報送信工程Ｓ４０８では、図６に示したコンピュータ１８Ａは、撮影画像の画像データ、及び撮影画像における頭部の位置情報をサーバ装置１４へ送信する。
【０２４０】
コンピュータ１８Ａは、図１６の画像情報送信工程Ｓ４０８を実行した後に、写真データ受付証プリント工程Ｓ４１０を実行する。写真データ受付証プリント工程Ｓ４１０では、図６に示したコンピュータ１８Ａは、プリンタ１８Ｃを用いて図３に示した写真データ受付証２２を印刷する。
【０２４１】
図６に示したコンピュータ１８Ａは、図１６の写真データ受付証プリント工程Ｓ４１０を実行した後に、証明写真作成プログラムを用いた証明写真データ作成方法を終了する。
【０２４２】
＜頭部位置設定画面＞
図１７は頭部位置設定画面の他の例を示す図である。図１７に示した頭部位置設定画面４００は、図６に示したコンピュータ１８Ａの表示装置１８Ｂに表示される。図１７に示した頭部位置設定画面４００は、オリジナル画像表示部４０２、及びプレビュー画像表示部４０４を備えている。
【０２４３】
オリジナル画像表示部４０２は、図１６の撮影画像取得工程Ｓ４０２において取得された撮影画像が表示される。オリジナル画像表示部４０２は、カーソル４０５が表示される。コンピュータ１８Ａのキーボード、又はマウスを用いて、カーソル４０５を移動させることが可能である。
【０２４４】
図１７に示したプレビュー画像表示部４０４は、オリジナル画像表示部４０２に表示されたオリジナルの撮影画像に画像処理が施された画像処理後の撮影画像が表示される。
【０２４５】
ここでいう画像処理は、拡大処理、縮小処理、位置調整処理、及び傾き調整処理の少なくともいずれか一つの処理が含まれる。プレビュー画像表示部４０４は、中央位置バー４１０、頭位置バー４１２、目位置バー４１４、及びあご位置バー４１６が表示される。
【０２４６】
頭部位置設定画面４００は、拡大処理ボタン４２０、縮小処理ボタン４２２、位置調整処理ボタン４２４、及び傾き調整処理ボタン４２６が表示される。位置調整処理ボタン４２４は、左移動ボタン４２４Ａ、下移動ボタン４２４Ｂ、右移動ボタン４２４Ｃ、及び上移動ボタン４２４Ｄが含まれる。
【０２４７】
傾き調整処理ボタン４２６は、左回転ボタン４２６Ａ、及び右回転ボタン４２６Ｂが含まれる。左回転ボタン４２６Ａ、及び右回転ボタン４２６Ｂの下側には、角度表示部４２６Ｃが配置される。
【０２４８】
頭部位置設定画面４００は、背景色調整部４３０、美肌処理調整部４３２、カラー調整部４３４、表示切替部４３６、及び画面切替部４３８が表示される。背景色調整部４３０のボタンが操作されると、背景色が変更される。
【０２４９】
美肌処理調整部４３２は、美肌処理を実行するボタン、性別を入力するボタン、処理の強弱を入力するボタンが含まれる。カラー調整部４３４は、モノクロとカラーとの切り替えを行うボタン、明るさを調整するボタン、シアン、マゼンタ、及びイエローの各色の強度を調整するボタンが含まれる。
【０２５０】
表示切替部４３６は、拡大表示をさせるボタン、及び縮小表示をさせるボタンが含まれる。画面切替部４３８は、調整値を初期値に戻すボタン、画面を進めるボタン、画面を戻すボタン、及び処理を中止させるボタンが含まれる。
【０２５１】
図１６の頭部位置設定工程Ｓ４０６では、図６に示したコンピュータ１８Ａの表示装置１８Ｂに、図１７に示した頭部位置設定画面４００を表示させ、コンピュータ１８Ａを用いて撮影画像における頭部の位置が設定される。
【０２５２】
［端末装置の説明］
＜端末装置の構成＞
次に、端末装置について説明する。端末装置の例として、図６には、携帯端末１６Ａ、及びコンピュータ１６Ｂが図示されている。図１８は端末装置の構成を示すブロック図である。
【０２５３】
図１８に示した端末装置１６は、制御部５００、通信部５１０、表示部５２０、及び操作部５３０を備えている。
【０２５４】
制御部５００は、端末装置１６の各部を統括的に制御する。制御部は、ＣＰＵ５０２、ＲＯＭ５０４、及びＲＡＭ５０６を備えている。制御部５００は、各部に指令信号を送信する。端末装置の各部は、制御部から送信された指令信号に基づいて動作する。
【０２５５】
通信部５１０は、通信ポート５１２、及び通信ドライバー５１４を備えている。通信部５１０は、図６に示したサーバ装置１４とデータ通信を行う。無線通信の場合、通信ポートとして無線アンテナを備えている。
【０２５６】
表示部５２０は、表示装置５２２、及びディスプレイドライバー５２４を備えている。表示部５２０は、ログイン画面等の操作画面、位置調整画面、及び証明写真データが表す画像を表示させる。図１８に示した表示部５２０の一例として、図６に示した表示部２８Ａが挙げられる。図１８に示した表示部５２０の他の例として、図６に示した表示装置１６Ｃが挙げられる。
【０２５７】
操作部５３０は、キーボード等の操作部材５３２を備えている。表示装置５２２にタッチパネル方式の表示装置を適用して、表示装置５２２と操作部材５３２とを共通化してもよい。
【０２５８】
通信部５１０、表示部５２０、及び操作部５３０は、ハードウエアとソフトウエアとを組み合わせて構成してもよい。制御部５００は、装置各部の機能を実現するプログラムを実行してもよい。以下、端末装置１６として、図６に示した携帯端末１６Ａが適用される場合について説明する。
【０２５９】
＜証明写真データ取得方法の手順＞
図１９は図６に示した携帯端末における証明写真データ取得方法の手順を示すフローチャートである。図１９に示した証明写真データ取得方法では、図１８に示した制御部５００は、図１９のログイン工程Ｓ５００を実行する。ログイン工程Ｓ５００では、図１８に示した制御部５００は、通信部５１０を介して、図３に示した写真データ受付証２２に印刷されたＵＲＬが表す、図１に示した画像受取サイト２４にアクセスする。
【０２６０】
図１８に示した制御部５００は、通信部５１０を介して、ログイン画面に入力された受付番号、及びパスワードを図６に示したサーバ装置１４へ送信する。図１に示した画像受取サイト２４にログインした後に、図１８に示した制御部５００は、図１９の証明写真種類選択工程Ｓ５０２を実行する。
【０２６１】
証明写真種類選択工程Ｓ５０２では、図１８の制御部５００は、図４に示した選択画面１２０を、図１８に示した表示部５２０に表示させる。
【０２６２】
図１９の証明写真種類選択工程Ｓ５０２では、図１８に示した制御部５００は、通信部５１０を介して、図６のサーバ装置１４へ証明写真の種類の選択情報を送信する。図１８に示した制御部５００は、図１９の証明写真種類選択工程Ｓ５０２を実行した後に、撮影画像表示工程Ｓ５０４を実行する。
【０２６３】
撮影画像表示工程Ｓ５０４では、図１８に示した制御部５００は、表示部５２０に撮影画像を表示させる。制御部５００は、図１９の撮影画像表示工程Ｓ５０４を実行した後に、頭部位置確認工程Ｓ５０６を実行する。頭部位置確認工程Ｓ５０６では、図１８に示した制御部５００は、表示部５２０に撮影画像を表示させる。
【０２６４】
図１９の頭部位置確認工程Ｓ５０６では、図１８に示した制御部５００は、表示部５２０に調整画面を表示させる。調整画面は図２０に符号５４０を付して図示する。図１８に示した制御部５００は、図１９の頭部位置確認工程Ｓ５０６を実行した後に、頭部位置設定工程Ｓ５０８を実行する。
【０２６５】
頭部位置設定工程Ｓ５０８では、図１８に示した制御部５００は、撮像画像における頭部の位置を設定し、撮像画像における頭部の位置の設定情報を、図１８に示した通信部５１０を介して、図６に示したサーバ装置１４へ送信する。
【０２６６】
図１８に示した制御部５００は、図１９の頭部位置設定工程Ｓ５０８を実行した後に、証明写真表示工程Ｓ５１０を実行する。証明写真表示工程Ｓ５１０では、図１８に示した制御部５００は、表示部５２０へ証明写真を表示させる。制御部５００は、図１９の証明写真表示工程Ｓ５１０を実行した後に、証明写真データダウンロード工程Ｓ５１２を実行する。
【０２６７】
証明写真データダウンロード工程Ｓ５１２では、図１８に示した制御部５００は、図６に示したサーバ装置１４へ証明写真データのダウンロードを要求する。図１９の証明写真データダウンロード工程Ｓ５１２では、図１８に示した制御部５００は、図６に示したサーバ装置１４から証明写真データのダウンロードを実行する。
【０２６８】
図１８に示した制御部５００は、図１９の証明写真データダウンロード工程Ｓ５１２を実行した後に、証明写真データ取得方法を終了させる。
【０２６９】
＜調整画面の説明＞
図２０は携帯端末の表示部に表示される調整画面の一例を示す図である。図２０に示した調整画面５４０は、撮影画像表示部５４２、調整ボタン部５４４、及び操作ボタン部５４６を備えている。撮影画像表示部５４２は、撮影画像４０、中央位置バー５５０、頭位置バー５５２、及びあご位置バー５５４が表示される。
【０２７０】
中央位置バー５５０、頭位置バー５５２、及びあご位置バー５５４は、図１４に示した中央位置バー３７０、頭位置バー３７２、及びあご位置バー３７６と同様であり、ここでの説明は省略する。
【０２７１】
調整ボタン部５４４は、拡大処理ボタン５６０、縮小処理ボタン５６２、上移動ボタン５６４、右移動ボタン５６６、下移動ボタン５６８、及び左移動ボタン５７０を備えている。拡大処理ボタン５６０を押すと撮影画像４０が拡大される。縮小処理ボタン５６２を押すと撮影画像４０が縮小される。
【０２７２】
上移動ボタン５６４を押すと撮影画像４０が上方向へ移動される。右移動ボタン５６６を押すと撮影画像４０が右方向へ移動される。下移動ボタン５６８を押すと撮影画像４０が下方向へ移動される。左移動ボタン５７０を押すと撮影画像４０が左方向へ移動される。
【０２７３】
拡大処理ボタン５６０、縮小処理ボタン５６２、上移動ボタン５６４、右移動ボタン５６６、下移動ボタン５６８、及び左移動ボタン５７０を用いて、撮影画像４０における頭部の位置、及び撮影画像４０における頭部の大きさを、中央位置バー５５０、頭位置バー５５２、及びあご位置バー５５４に合わせて調整することが可能である。
【０２７４】
操作ボタン部５４６は、確定ボタン５８０、戻るボタン５８２、及びメニュー移動ボタン５８４を備えている。確定ボタン５８０が押されると、撮影画像４０の頭部の位置、及び撮影画像４０のサイズを確定する。戻るボタン５８２が押されると、一つ前の画面へ戻る。メニュー移動ボタン５８４が押されると、メニュー画面へ戻る。
【０２７５】
［証明写真システムにおけるデータ通信の手順の説明］
＜自動証明写真装置とサーバ装置とのデータ通信の手順＞
図２１は図６に示した証明写真システムにおける自動証明写真装置とサーバ装置とのデータ通信の手順を示すフローチャートである。
【０２７６】
画像情報送信工程Ｓ６００では、図６の自動証明写真撮影装置１２からサーバ装置１４へ、撮影画像の画像データ、及び撮影画像における頭部の位置の情報を含む画像情報が送信される。図２１の画像情報送信工程Ｓ６００は、図１３の画像情報送信工程Ｓ３１４に相当する。
【０２７７】
図２１の画像情報受信工程Ｓ６０２では、図６に示したサーバ装置１４は、自動証明写真撮影装置１２から送信された画像情報を受信する。サーバ装置１４は、図２１の画像情報受信工程Ｓ６０２を実行した後に、画像情報記憶工程Ｓ６０６を実行する。画像情報記憶工程Ｓ６０６では、図６に示したサーバ装置１４は、画像情報を記憶する。画像情報は、画像データの識別情報として機能する受付番号をインデックスとして、画像情報が検索可能に記憶される。
【０２７８】
サーバ装置１４は、図２１の画像情報記憶工程Ｓ６０６を実行した後に、ＵＲＬ発行工程Ｓ６１０を実行する。ＵＲＬ発行工程Ｓ６１０では、図６に示したサーバ装置１４は、証明写真データの受取先である、図１に示した画像受取サイト２４のＵＲＬの情報を発行する。
【０２７９】
図６に示したサーバ装置１４は、図２１のＵＲＬ発行工程Ｓ６１０を実行した後に、パスワード発行工程Ｓ６１２を実行する。パスワード発行工程Ｓ６１２では、図６に示したサーバ装置１４は、ユーザが端末装置を用いて、図１に示した画像受取サイト２４にログインする際に用いるパスワードを発行する。
【０２８０】
図６に示したサーバ装置１４は、図２１のパスワード発行工程Ｓ６１２を実行した後に、ログイン情報送信工程Ｓ６１４を実行する。ログイン情報送信工程Ｓ６１４では、図６に示したサーバ装置１４は、自動証明写真撮影装置１２へ、画像受取サイト２４のＵＲＬ、及びパスワードを送信する。
【０２８１】
自動証明写真撮影装置１２は、図２１のログイン情報受信工程Ｓ６１６を実行する。ログイン情報受信工程Ｓ６１６では、図６に示した自動証明写真撮影装置１２は、画像受取サイト２４のＵＲＬ、及びパスワードを受信する。自動証明写真撮影装置１２は、図２１のログイン情報受信工程Ｓ６１６を実行した後に、写真データ受付証印刷工程Ｓ６１８を実行する。写真データ受付証印刷工程Ｓ６１８では、図６に示した自動証明写真撮影装置１２は、図３に示した写真データ受付証２２を印刷する。
【０２８２】
図６に示した写真店１８では、図２１に示した画像情報送信工程Ｓ６００、ログイン情報受信工程Ｓ６１６、及び写真データ受付証印刷工程Ｓ６１８に対応する工程が実行可能である。
【０２８３】
図２１に示した画像情報受信工程Ｓ６０２は、画像情報取得工程の一態様である。
【０２８４】
＜サーバ装置と端末装置のデータ通信の手順＞
図２２は図６に示した証明写真システムにおけるサーバ装置と携帯端末とのデータ通信の手順を示すフローチャートである。
【０２８５】
端末装置１６は、ログイン要求工程Ｓ７００を実行する。ログイン要求工程Ｓ７００では、図６に示した携帯端末１６Ａからサーバ装置１４へ受付番号、及びパスワードが送信される。
【０２８６】
サーバ装置１４は、図２２のログイン要求受信工程Ｓ７０２を実行する。ログイン要求受信工程Ｓ７０２では、図６に示したサーバ装置１４は、端末装置１６から送信された受付番号、及びパスワードを受信する。図２２のログイン要求受信工程Ｓ７０２は、図８のログイン情報取得工程Ｓ１２に相当する。
【０２８７】
サーバ装置１４は、図２２のログイン要求受信工程Ｓ７０２を実行した後に、ログイン認証工程Ｓ７０４を実行する。ログイン認証工程Ｓ７０４では、図６に示したサーバ装置１４は、受付番号、及びパスワードを照合する。図２２のログイン認証工程Ｓ７０４において、受付番号、及びパスワードが正しい場合、図６に示したサーバ装置１４は、携帯端末１６Ａの、図１に示した画像受取サイト２４へのログイン処理を実行する。図２２のログイン認証工程Ｓ７０４は、図８のログイン処理工程Ｓ１６に相当する。
【０２８８】
携帯端末１６Ａが、図１に示した画像受取サイト２４へログインすると、携帯端末１６Ａは選択画面表示工程Ｓ７１０を実行する。選択画面表示工程Ｓ７１０では、図６に示した携帯端末１６Ａは、図１に示した画像受取サイト２４にアクセスして、図４に示した選択画面１２０を、図６に示した表示部２８Ａに表示する。図２２の選択画面表示工程Ｓ７１０は、図９の選択画面表示工程Ｓ１００に相当する。
【０２８９】
図６に示した携帯端末１６Ａは、図２２の選択画面表示工程Ｓ７１０を実行した後に、選択情報送信工程Ｓ７１２を実行する。選択情報送信工程Ｓ７１２では、図６に示した携帯端末１６Ａはサーバ装置１４へ証明写真の種類の選択情報を送信する。
【０２９０】
サーバ装置１４は、図２２の選択情報受信工程Ｓ７１４を実行する。選択情報受信工程Ｓ７１４では、図６に示したサーバ装置１４は、携帯端末１６Ａから送信された証明写真の種類の選択情報を受信する。図２２の選択情報受信工程Ｓ７１４は、図９の選択情報取得工程Ｓ１０２に相当する。
【０２９１】
サーバ装置１４は、図２２の選択情報受信工程Ｓ７１４を実行した後に、証明写真データ作成工程Ｓ７１６を実行する。証明写真データ作成工程Ｓ７１６では、図６に示したサーバ装置１４は、図２２の選択情報受信工程Ｓ７１４において受信した証明写真の種類の選択情報に基づいて、証明写真データを作成する。図２２の証明写真データ作成工程Ｓ７１６は、図９の証明写真データ作成工程Ｓ１０８に相当する。
【０２９２】
サーバ装置１４において、図２２の証明写真データ作成工程Ｓ７１６を実行した後に、証明写真表示許可工程Ｓ７１８を実行する。証明写真表示許可工程Ｓ７１８では、図６に示したサーバ装置１４は、携帯端末１６Ａに対して証明写真の表示を許可する。図２２の証明写真データ作成工程Ｓ７１６は、図９の証明写真表示工程Ｓ１１２に相当する。
【０２９３】
携帯端末１６Ａは、サーバ装置１４が図２２の証明写真表示許可工程Ｓ７１８を実行した後に、証明写真表示工程Ｓ７２２を実行する。証明写真表示工程Ｓ７２２では、図６に示した携帯端末１６Ａは、図１に示した画像受取サイト２４にアクセスして、表示部２８Ａに証明写真を表示させる。
【０２９４】
携帯端末１６Ａは、図２２の証明写真表示工程Ｓ７２２を実行した後に、証明写真データダウンロード要求送信工程Ｓ７２４を実行する。証明写真データダウンロード要求送信工程Ｓ７２４では、図６に示した携帯端末１６Ａは、サーバ装置１４へ証明写真データのダウンロードを要求する。
【０２９５】
携帯端末１６Ａが、図２２の証明写真データダウンロード要求送信工程Ｓ７２４を実行した後に、図６に示したサーバ装置１４は、図２２の証明写真データダウンロード要求受信工程Ｓ７２６を実行する。証明写真データダウンロード要求受信工程Ｓ７２６では、図６に示したサーバ装置１４は、携帯端末１６Ａから送信された証明写真データのダウンロード要求を受信する。
【０２９６】
サーバ装置１４は、図２２の証明写真データダウンロード要求受信工程Ｓ７２６を実行した後に、証明写真データ送信工程Ｓ７２８を実行する。証明写真データ送信工程Ｓ７２８では、図６に示したサーバ装置１４は、携帯端末１６Ａへ証明写真データを送信する。
【０２９７】
サーバ装置１４が、図２２に示した証明写真データ送信工程Ｓ７２８を実行した後に、図６に示した携帯端末１６Ａは、図２２の証明写真データ受信工程Ｓ７３０を実行する。証明写真データ受信工程Ｓ７３０では、図６に示した携帯端末１６Ａは、サーバ装置１４から送信された証明写真データを受信する。
【０２９８】
サーバ装置１４は、図２２の証明写真データ送信工程Ｓ７２８を実行した後に、ログアウト要求送信工程を実行してもよい。ログアウト要求送信工程の図示は省略する。ログアウト要求送信工程では、図６に示したサーバ装置１４は、携帯端末１６Ａへログアウトの要求を送信する。
【０２９９】
携帯端末１６Ａは、サーバ装置１４から送信されたログアウト要求を受信した後に、ログアウト情報送信工程を実行してもよい。ログアウト情報送信工程の図示は省略する。ログアウト情報送信工程では、携帯端末１６Ａは、サーバ装置１４へログアウト要求に応じることを表す情報を送信する。
【０３００】
サーバ装置１４は、携帯端末１６Ａから送信されたログアウト要求に応じることを表す情報を受信した後に、ログアウト工程を実行してもよい。ログアウト工程の図示は省略される。ログアウト工程では、サーバ装置１４は、携帯端末１６Ａの図１に示した画像受取サイト２４からのログアウト処理を実行する。
【０３０１】
図２２に示した選択情報受信工程Ｓ７１４は、規格情報取得工程の一態様である。
【０３０２】
［証明写真データ取得プログラムへの適用例］
図７に示したサーバ装置１４の各部、及び図１２に示した自動証明写真撮影装置１２の各部は、コンピュータを各部として機能させる証明写真データ取得プログラムを用いて実現することが可能である。
【０３０３】
［作用効果］
上記の如く構成された証明写真システムによれば、以下の作用効果を奏することが可能である。
【０３０４】
図１に示した自動証明写真撮影装置１２、又は写真店１８からサーバ装置１４へ、撮影画像データ、及び撮影画像における頭部の位置の情報を含む画像情報が送信される。画像情報はサーバ装置１４に記憶される。
【０３０５】
これにより、サーバ装置１４は、画像情報を用いて、端末装置１６から送信される証明写真の種類の選択情報に対応した証明写真データの作成が可能である。
【０３０６】
特に、頭部の位置の情報として、頭頂部の位置、目の位置、あごの位置、及び中央位置の情報が記憶されるので、証明写真の縦、及び横の画素数の範囲、証明写真における底辺から目の位置までの距離を用いて表される目の高さの証明写真全体における比率の範囲等が詳細に規定されているアメリカ合衆国ビザ申請用の証明写真を作成することが可能である。
【０３０７】
自動証明写真撮影装置１２、又は写真店１８は、画像受取サイト２４のＵＲＬ、画像データの識別情報である受付番号、及びパスワードが印刷された、図３に示した写真データ受付証２２を印刷する。
【０３０８】
これにより、ユーザは、図１に示した端末装置１６を用いて、図３に示した写真データ受付証２２にＵＲＬが印刷された、図１に示した画像受取サイト２４にアクセスすることが可能である。
【０３０９】
ユーザは、端末装置１６を用いて、画像データの識別番号として機能する受付番号、及びパスワードをサーバ装置１４へ送信して、画像受取サイト２４にログインすることが可能である。更に、ユーザは、端末装置１６を用いて、証明写真を確認することができ、証明写真データをダウンロードすることが可能である。
【０３１０】
端末装置１６の表示部２８には、図４に示した選択画面１２０が表示される。これにより、ユーザは端末装置１６を操作して、所望の証明写真の種類の情報をサーバ装置１４へ送信することが可能である。
【０３１１】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有するものにより、多くの変形が可能である。
【符号の説明】
【０３１２】
１０  証明写真システム
１２  自動証明写真撮影装置
１４  サーバ装置
１６  端末装置
１６Ａ  携帯端末
１６Ｂ、１８Ａ  コンピュータ
１６Ｃ、１８Ｂ、５２２  表示装置
１８  写真店
１８Ｃ、３２０  プリンタ
２０  証明写真作成プログラム
２２  写真データ受付証
２４  画像受取サイト
２６  証明写真データ
２８、２８Ａ、５２０  表示部
３０、３２  通信回線網
３１、３３、３５、３７  通信回線
４０  撮影画像
４１  頭頂
４３Ａ  左目
４３Ｂ  右目
１００  ＵＲＬ表示部
１０２  受付番号表示部
１０４  パスワード表示部
１０６  画像表示部
１０８  受付日表示部
１１０  有効期限表示部
１１２  タイトル表示部
１２０  選択画面
１２２  選択ボタン表示部
１２４  履歴書用選択ボタン
１２６  マイナンバー申請用選択ボタン
１２８  アメリカビザ申請用選択ボタン
１３０  カスタムサイズ選択ボタン
１３２  利用方法表示ボタン
１３４  ログアウトボタン
１３６  メニュー移動ボタン
１３８  ステータスバー
２００  制御部
２０２、５０２  ＣＰＵ
２０４、５０４  ＲＯＭ
２０６、５０６  ＲＡＭ
２１０  通信部
２１２  画像情報取得部
２１４  画像データ記憶部
２１６  位置情報記憶部
２１７  ログイン処理部
２１８  選択画面記憶部
２２０  選択情報取得部
２２２  選択情報設定部
２２４  証明写真データ作成部
２２５  証明写真データ記憶部
２２６  証明写真データ送信部
２２８  プログラム記憶部
２３０  保管期限管理部
２３２  課金管理部
３００  撮影室
３０２  機械室
３０４  タッチパネル
３０６  椅子
３１０  カメラ
３１２  ストロボ装置
３１４、５００  制御部
３１６  メモリ
３１８  演算部
３２２、５１０  通信部
３５０、４００  頭部位置設定画面
３５２、５４２  撮影画像表示部
３５４  中央位置調整部
３５６  頭頂位置調整部
３５８  目位置調整部
３６０  あご位置調整部
３６２  操作指示表示部
３６４  エンターボタン
３７０、４１０、５５０  中央位置バー
３７２、４１２、５５２  頭位置バー
３７４、４１４  目位置バー
３７６、４１６、５５４  あご位置バー
３８０、４２４Ａ、５７０  左移動ボタン
３８２、４２４Ｃ、５６６  右移動ボタン
３８４  頭頂位置上移動ボタン
３８６  頭頂位置下移動ボタン
３８８  目位置上移動ボタン
３９０  目位置下移動ボタン
３９２  あご位置上移動ボタン
３９４  あご位置下移動ボタン
４０２  オリジナル画像表示部
４０４  プレビュー画像表示部
４０５  カーソル
４２０、５６０  拡大処理ボタン
４２２、５６２  縮小処理ボタン
４２４  位置調整処理ボタン
４２４Ｂ、５６８  下移動ボタン
４２４Ｄ、５６４  上移動ボタン
４２６  調整処理ボタン
４２６Ａ  左回転ボタン
４２６Ｂ  右回転ボタン
４３０  背景色調整部
４３２  美肌処理調整部
４３４  カラー調整部
４３６  表示切替部
４３８  画面切替部
５１２  通信ポート
５１４  通信ドライバー
５２４  ディスプレイドライバー
５３０  操作部
５３２  操作部材
５４０  調整画面
５４４  調整ボタン部
５４６  操作ボタン部
５８０  確定ボタン
５８２  戻るボタン
５８４  メニュー移動ボタン
Ｓ１０からＳ２４  ログイン処理の各工程
Ｓ１００からＳ１１４  証明写真データ出力方法の各工程
Ｓ１４０からＳ１５６  証明写真データ作成工程の各工程
Ｓ２００からＳ２０６  画像データの保管方法の各工程
Ｓ３００からＳ３１６  証明写真撮影方法の各工程
Ｓ４００からＳ４１０  証明写真データ作成方法の各工程
Ｓ５００からＳ５１２  証明写真データ取得方法の各工程
Ｓ６００からＳ６１８  自動証明写真装置とサーバ装置とのデータ通信の各工程
Ｓ７００からＳ７３０  サーバ装置と携帯端末とのデータ通信の各工程
【図１】
2018074392.tif 000003
【図２】
2018074392.tif 000004
【図３】
2018074392.tif 000005
【図４】
2018074392.tif 000006
【図５】
2018074392.tif 000007
【図６】
2018074392.tif 000008
【図７】
2018074392.tif 000009
【図８】
2018074392.tif 000010
【図９】
2018074392.tif 000011
【図１０】
2018074392.tif 000012
【図１１】
2018074392.tif 000013
【図１２】
2018074392.tif 000014
【図１３】
2018074392.tif 000015
【図１４】
2018074392.tif 000016
【図１５】
2018074392.tif 000017
【図１６】
2018074392.tif 000018
【図１７】
2018074392.tif 000019
【図１８】
2018074392.tif 000020
【図１９】
2018074392.tif 000021
【図２０】
2018074392.tif 000022
【図２１】
2018074392.tif 000023
【図２２】
2018074392.tif 000024